(57)【要約】  本願は、信号送信方法および信号送信装置を開示し、通信技術分野に属する。方法は、チャネル状態情報に基づいて第１のデータ信号を生成する段階と、一次送信機により送信される第２のデータ信号を受信し、第２のデータ信号の位相を決定する段階と、一次送信機により送信される第１の測定信号の位相と、一次送信機により送信される第２のデータ信号の位相とに基づいて第１のデータ信号を送信する段階とを備える。具体的には、第２のデータ信号の検出遅延と第１の測定信号の検出遅延との間の遅延差が、一次送信機により送信される第２のデータ信号の位相と、一次送信機により送信される第１の測定信号の位相とを用いることにより、チャネル測定中に取得され得る。このことに基づいて、一次送信機と二次送信機との間の時間同期を実装するために、一次送信機および二次送信機による共同送信のプロセスにおける検出遅延が、これら２つの信号の位相に基づいて第１のデータ信号を送信することにより解消され得る。
2021500774.tif 000002
【特許請求の範囲】
【請求項１】
チャネル状態情報に基づいて第１のデータ信号を生成する段階であって、前記チャネル状態情報は、一次送信機と受信機との間のチャネルの特性と、二次送信機と前記受信機との間のチャネルの特性とを表すために用いられる、段階と、
前記一次送信機により送信される第２のデータ信号を受信し、前記第２のデータ信号の位相を決定する段階と、
前記一次送信機により送信される第１の測定信号の位相と、前記一次送信機により送信される前記第２のデータ信号の前記位相とに基づいて、前記第１のデータ信号を送信する段階と
を備える信号送信方法。
【請求項２】
チャネル状態情報に基づいて第１のデータ信号を生成する前記段階の前に、
前記一次送信機により送信される前記第１の測定信号を受信し、前記第１の測定信号の前記位相を決定し、第２の測定信号を前記受信機へ送信する段階と、
前記第１の測定信号および前記第２の測定信号に基づいて、前記受信機により決定される前記チャネル状態情報を受信する段階と
をさらに備える、請求項１に記載の方法。
【請求項３】
前記一次送信機により送信される前記第１の測定信号を受信する前記段階の前に、
前記一次送信機により送信される第１の共同送信通知フレームを受信する段階であって、前記第１の共同送信通知フレームは、送信機グループ識別子を保持し、前記送信機グループ識別子は、前記一次送信機が属する送信機グループを識別するために用いられる、段階と、
前記第１の共同送信通知フレームにより保持される前記送信機グループ識別子が、格納されている送信機グループ識別子と同じである場合、前記第１の共同送信通知フレームの受信が終了した時点から第１の期間が経過した後に、前記一次送信機により送信される前記第１の測定信号を受信する前記段階を実行する段階と
をさらに備える、請求項２に記載の方法。
【請求項４】
前記一次送信機により送信される第２のデータ信号を受信する前記段階の前に、
前記一次送信機により送信される第２の共同送信通知フレームを受信する段階であって、前記第２の共同送信通知フレームは、送信機グループ識別子を保持し、前記送信機グループ識別子は、前記一次送信機が属する送信機グループを識別するために用いられる、段階と、
前記第２の共同送信通知フレームにより保持される前記送信機グループ識別子が、格納されている送信機グループ識別子と同じである場合、前記第２の共同送信通知フレームの受信が終了した時点から第２の期間が経過した後に、前記一次送信機により送信される前記第２のデータ信号を受信する前記段階を実行する段階と
をさらに備える、請求項１に記載の方法。
【請求項５】
前記一次送信機により送信される第１の測定信号の位相と、前記一次送信機により送信される前記第２のデータ信号の前記位相とに基づいて、前記第１のデータ信号を送信する前記段階は、
現在の信号サンプリング時間間隔を取得する段階と、
前記第２のデータ信号の前記位相と前記第１の測定信号の前記位相との間の位相差を決定する段階と、
前記信号サンプリング時間間隔および前記位相差に基づいて、時間間隔の数を決定する段階と、
前記時間間隔の数に基づいて、前記第１のデータ信号を送信する段階と
を有する、請求項１から４に記載の方法。
【請求項６】
第１の測定信号を二次送信機へ送信することにより、前記二次送信機が前記第１の測定信号に基づいて第２の測定信号を送信する段階と、
前記第１の測定信号および前記第２の測定信号に基づいて受信機により決定されるチャネル状態情報を受信し、前記チャネル状態情報に基づいて第２のデータ信号を生成する段階であって、前記チャネル状態情報は、一次送信機と前記受信機との間のチャネルの特性と、前記二次送信機と前記受信機との間のチャネルの特性とを表すために用いられる、段階と、
前記第２のデータ信号を送信する段階と
を備える信号送信方法。
【請求項７】
第１の測定信号を二次送信機へ送信する前記段階の前に、
第１の共同送信通知フレームを前記二次送信機へ送信する段階であって、前記第１の共同送信通知フレームは、送信機グループ識別子を保持し、前記送信機グループ識別子は、前記一次送信機が属する送信機グループを識別するために用いられる、段階
をさらに備える、請求項６に記載の方法。
【請求項８】
前記第２のデータ信号を送信する前記段階の前に、
第２の共同送信通知フレームを前記二次送信機へ送信する段階であって、前記第２の共同送信通知フレームは、送信機グループ識別子を保持し、前記送信機グループ識別子は、前記一次送信機が属する送信機グループを識別するために用いられる、段階
をさらに備える、請求項６に記載の方法。
【請求項９】
チャネル状態情報に基づいて第１のデータ信号を生成するように構成された生成モジュールであって、前記チャネル状態情報は、一次送信機と受信機との間のチャネルの特性と、二次送信機と前記受信機との間のチャネルの特性とを表すために用いられる、生成モジュールと、
前記一次送信機により送信される第２のデータ信号を受信し、前記第２のデータ信号の位相を決定するように構成された受信モジュールと、
前記一次送信機により送信される第１の測定信号の位相と、前記一次送信機により送信される前記第２のデータ信号の前記位相とに基づいて前記第１のデータ信号を送信するように構成された送信モジュールと
を備える信号送信装置。
【請求項１０】
前記受信モジュールはさらに、前記一次送信機により送信される前記第１の測定信号を受信し、前記第１の測定信号の前記位相を決定するように構成され、
前記送信モジュールはさらに、第２の測定信号を前記受信機へ送信するように構成され、
前記受信モジュールはさらに、前記第１の測定信号および前記第２の測定信号に基づいて前記受信機により決定される前記チャネル状態情報を受信するように構成される、
請求項９に記載の装置。
【請求項１１】
トリガモジュールをさらに備え、
前記受信モジュールはさらに、前記一次送信機により送信される第１の共同送信通知フレームを受信するように構成され、前記第１の共同送信通知フレームは、送信機グループ識別子を保持し、前記送信機グループ識別子は、前記一次送信機が属する送信機グループを識別するために用いられ、
前記トリガモジュールは、前記第１の共同送信通知フレームにより保持される前記送信機グループ識別子が、格納されている送信機グループ識別子と同じである場合、前記第１の共同送信通知フレームの受信が終了した時点から第１の期間が経過した後に、前記一次送信機により送信される前記第１の測定信号を受信するよう前記受信モジュールをトリガするように構成される、
請求項１０に記載の装置。
【請求項１２】
前記受信モジュールはさらに、前記一次送信機により送信される第２の共同送信通知フレームを受信するように構成され、前記第２の共同送信通知フレームは、送信機グループ識別子を保持し、前記送信機グループ識別子は、前記一次送信機が属する送信機グループを識別するために用いられ、
前記トリガモジュールはさらに、前記第２の共同送信通知フレームにより保持される前記送信機グループ識別子が、格納されている送信機グループ識別子と同じである場合、前記第２の共同送信通知フレームの受信が終了した時点から第２の期間が経過した後に、前記一次送信機により送信される前記第２のデータ信号を受信するよう前記受信モジュールをトリガするように構成される、
請求項９に記載の装置。
【請求項１３】
前記送信モジュールは、具体的には、
現在の信号サンプリング時間間隔を取得し、
前記第２のデータ信号の前記位相と前記第１の測定信号の前記位相との間の位相差を決定し、
前記信号サンプリング時間間隔および前記位相差に基づいて、時間間隔の数を決定し、
前記時間間隔の数に基づいて、前記第１のデータ信号を送信する
ように構成される、
請求項９から１２のいずれか一項に記載の装置。
【請求項１４】
第１の測定信号を二次送信機へ送信することにより、前記二次送信機が前記第１の測定信号に基づいて第２の測定信号を送信するように構成された送信モジュールと、
前記第１の測定信号および前記第２の測定信号に基づいて受信機により決定されるチャネル状態情報を受信し、前記チャネル状態情報に基づいて第２のデータ信号を生成するように構成された受信モジュールであって、前記チャネル状態情報は、一次送信機と前記受信機との間のチャネルの特性と、前記二次送信機と前記受信機との間のチャネルの特性とを表すために用いられる、受信モジュールと
を備え、
前記送信モジュールはさらに、前記第２のデータ信号を送信するように構成される、
信号送信装置。
【請求項１５】
前記送信モジュールはさらに、第１の共同送信通知フレームを前記二次送信機へ送信するように構成され、前記第１の共同送信通知フレームは、送信機グループ識別子を保持し、前記送信機グループ識別子は、前記一次送信機が属する送信機グループを識別するために用いられる、
請求項１４に記載の装置。
【請求項１６】
前記送信モジュールはさらに、第２の共同送信通知フレームを前記二次送信機へ送信するように構成され、前記第２の共同送信通知フレームは、送信機グループ識別子を保持し、前記送信機グループ識別子は、前記一次送信機が属する送信機グループを識別するために用いられる、
請求項１４に記載の装置。
【請求項１７】
命令を備え、前記命令がコンピュータ上で実行された場合に請求項１から８のいずれか一項に記載の方法を前記コンピュータが実行することが可能になるコンピュータ可読記憶媒体。
【請求項１８】
コンピュータ上で実行された場合に請求項１から８のいずれか一項に記載の方法を前記コンピュータが実行することが可能になる命令を含むコンピュータプログラム製品。
【発明の詳細な説明】
【技術分野】
【０００１】
本願は、２０１８年６月２８日に中国特許庁に出願された、「信号送信方法および信号送信装置」と題する中国特許出願第２０１８１０６８７９１４．８号の優先権を主張する。当該出願は、参照により、その全体が本明細書に組み込まれている。
【０００２】
本願は、通信技術分野に関し、特に、信号送信方法および信号送信装置に関する。
【背景技術】
【０００３】
多入力多出力（Ｍｕｌｔｉｐｌｅ  Ｉｎｐｕｔ  Ｍｕｌｔｉｐｌｅ  Ｏｕｔｐｕｔ、ＭＩＭＯ）技術が徐々に、無線通信システムにおける主流の信号送信技術になってきている。ＭＩＭＯ技術は、複数のアンテナを含む送信機を意味する。信号送信中に、送信機は、信号を複数の受信機へ同時に、かつ、同じ周波数で送信し得る。加えて、信号干渉の問題を考慮すると、送信機の複数のアンテナのうち２つの隣接するアンテナの各々の間の距離は、特定の値よりも大きい必要がある。このことに基づいて、送信機のデバイスサイズが限定されるので、送信機に含まれるアンテナの数が限定される。言い換えれば、信号がＭＩＭＯ技術を用いることにより送信される場合、信号送信効率が、送信機のデバイスサイズにより限定される。このことに基づいて、信号送信効率をさらに改善するために、分散ＭＩＭＯ技術が提案されている。分散ＭＩＭＯ技術は、互いに空間的に独立した複数の送信機を調整して、信号を複数の受信機へ同時に、かつ、同じ周波数で送信することを指す。複数の送信機の各々は、独立の無線周波数リンクを有し、複数のアンテナを含み得る。このように、信号が送信される場合、より独立した送信機を配置することにより、データ送信効率がさらに改善され得て、各送信機のデバイスサイズを過度に大きく、または複雑にする必要がないことが保証され得る。
【０００４】
従来技術では、信号を送信するために分散ＭＩＭＯ技術が用いられる場合、互いに空間的に独立した複数の送信機の各々が、ローカル水晶発振器により生成されるクロックを用いることにより、信号を送信する。この場合、送信機の周波数および時間のいずれも同期せず、複数の送信機のうちの二次送信機が、一次送信機により送信される第１のデータ信号の位相を測定することにより送信予定の第２のデータ信号の位相を調整して、一次送信機と二次送信機との間の時間同期を実装し得る。
【０００５】
しかしながら、従来技術では、二次送信機が受信する第１のデータ信号の信号対ノイズ比が比較的低い場合、第１のデータ信号の測定された位相に比較的大きい測定誤差が存在する。この場合、第１のデータ信号の位相を用いることにより第２のデータ信号の位相が直接調整されるときは、第２のデータ信号の調整された位相にも比較的大きい誤差が存在し得る。このように、二次送信機と一次送信機との間の時間同期が実装され得ないのみならず、より大きい時間オフセットも生じることで、一次送信機と二次送信機との間の信号干渉につながり得る。
【発明の概要】
【０００６】
本願の実施形態は、複数の送信機が共同送信を実行した場合に非同期時間により生じる、送信機間に信号干渉が存在するという関連技術における問題を解決するために、信号送信方法および信号送信装置を提供する。
【０００７】
第１の態様によれば、信号送信方法が提供される。
方法は、
チャネル状態情報に基づいて第１のデータ信号を生成する段階であって、チャネル状態情報は、一次送信機と受信機との間のチャネルの特性と、二次送信機と受信機との間のチャネルの特性とを表すために用いられる、段階と、
一次送信機により送信される第２のデータ信号を受信し、第２のデータ信号の位相を決定する段階と、
一次送信機により送信される第１の測定信号の位相と、一次送信機により送信される第２のデータ信号の位相とに基づいて、第１のデータ信号を送信する段階と
を備える。
【０００８】
本願の本実施形態において提供される信号送信方法によれば、第２のデータ信号の検出遅延と第１の測定信号の検出遅延との間の遅延差が、一次送信機により送信される第２のデータ信号の位相と、一次送信機により送信される第１の測定信号の位相とを用いることにより、チャネル測定中に取得され得る。このことに基づいて、一次送信機および二次送信機による共同送信のプロセスにおいて生成される検出遅延が、これら２つの信号の位相に基づいて第１のデータ信号を送信することにより解消され得る。現在送信予定のデータ信号の位相が、一次送信機により送信されるデータ信号の位相に基づいて直接調整される関連技術と比較して、本願は、一次送信機により送信される第２のデータ信号の位相と、チャネル測定中に送信される第１のデータ信号の位相とに基づいて、二次送信機により送信される信号を調整することにより、測定誤差に対してより高い抵抗を有する。
【０００９】
チャネル状態情報は、一次送信機と受信機との間のチャネルの特性と、二次送信機と受信機との間のチャネルの特性とを表すために用いられるチャネル行列であり得るか、もしくは、一次送信機と受信機との間のチャネルの特性と、二次送信機と受信機との間のチャネルの特性とを表すために用いられるアレイであり得るか、または、別の表現形式のものであり得る。
【００１０】
任意選択的に、チャネル状態情報に基づいて第１のデータ信号を生成する段階の前に、方法は、
一次送信機により送信される第１の測定信号を受信し、第１の測定信号の位相を決定し、第２の測定信号を受信機へ送信する段階と、
第１の測定信号および第２の測定信号に基づいて、受信機により決定されるチャネル状態情報を受信する段階と
をさらに備える。
【００１１】
任意選択的に、一次送信機により送信される第１の測定信号を受信する段階の前に、方法は、
一次送信機により送信される第１の共同送信通知フレームを受信する段階であって、第１の共同送信通知フレームは、送信機グループ識別子を保持し、送信機グループ識別子は、一次送信機が属する送信機グループを識別するために用いられる、段階と、
第１の共同送信通知フレームにより保持される送信機グループ識別子が、格納されている送信機グループ識別子と同じである場合、第１の共同送信通知フレームの受信が終了した時点から第１の期間が経過した後に、一次送信機により送信される第１の測定信号を受信する段階を実行する段階と
をさらに備える。
【００１２】
本願の本実施形態において、一次送信機は、第１の共同送信通知フレームを二次送信機へ送信することにより、第１の共同送信通知フレームの受信後に第１の測定信号の受信を準備し、第１の測定信号のフレーム本体の到達が検出された時点で、第２の測定信号を送信することによりチャネル測定を一次送信機と共に完了するよう二次送信機に命令し得る。
【００１３】
任意選択的に、一次送信機により送信される第２のデータ信号を受信する段階の前に、方法は、
一次送信機により送信される第２の共同送信通知フレームを受信する段階であって、第２の共同送信通知フレームは、送信機グループ識別子を保持し、送信機グループ識別子は、一次送信機が属する送信機グループを識別するために用いられる、段階と、
第２の共同送信通知フレームにより保持される送信機グループ識別子が、格納されている送信機グループ識別子と同じである場合、第２の共同送信通知フレームの受信が終了した時点から第２の期間が経過した後に、一次送信機により送信される第２のデータ信号を受信する段階を実行する段階と
をさらに備える。
【００１４】
本願の本実施形態において、データ信号を送信する段階の前に、一次送信機は、第２の共同送信通知フレームを二次送信機へ送信して、一次送信機と共にデータ信号を送信することを準備するよう二次送信機に命令する。
【００１５】
任意選択的に、一次送信機により送信される第１の測定信号の位相と、一次送信機により送信される第２のデータ信号の位相とに基づいて、第１のデータ信号を送信する段階は、
現在の信号サンプリング時間間隔を取得する段階と、
第２のデータ信号の位相と第１の測定信号の位相との間の位相差を決定する段階と、
信号サンプリング時間間隔および位相差に基づいて、時間間隔の数を決定する段階と、
時間間隔の数に基づいて、第１のデータ信号を送信する段階と
を有する。
【００１６】
本願の本実施形態において、チャネル状態情報が第１の測定信号の検出遅延を含むので、一次送信機によりチャネル状態情報に基づいて生成される第２のデータ信号と、二次送信機によりチャネル状態情報に基づいて生成される第１のデータ信号との両方が、第１の測定信号の検出遅延を含む。この場合、二次送信機が、一次送信機により送信される第２のデータ信号を受信したときは、第２のデータ信号の検出遅延と第１の測定信号の検出遅延との間の遅延差を取得するために、第２のデータ信号の位相および第１の測定信号の位相のみを比較する必要がある。第１の測定信号の検出遅延は、第１のデータ信号および第２のデータ信号に既に含まれているので、第１のデータ信号が送信された場合、第１のデータ信号および第２のデータ信号の検出遅延の影響を解消するために、第２のデータ信号の検出遅延と第１の測定信号の検出遅延との間の遅延差のみが補償される必要がある。このように、第１のデータ信号と第２のデータ信号との間の時間同期が実装される。
【００１７】
第２の態様によれば、信号送信方法が提供される。
方法は、
第１の測定信号を二次送信機へ送信することにより、二次送信機が第１の測定信号に基づいて第２の測定信号を送信する段階と、
第１の測定信号および第２の測定信号に基づいて受信機により決定されるチャネル状態情報を受信し、チャネル状態情報に基づいて第２のデータ信号を生成する段階であって、チャネル状態情報は、一次送信機と受信機との間のチャネルの特性と、二次送信機と受信機との間のチャネルの特性とを表すために用いられる、段階と、
第２のデータ信号を送信する段階と
を備える。
【００１８】
本願の本実施形態において、データ信号を送信する段階の前に、一次送信機は、第１の測定信号を送信して、二次送信機と共にチャネル測定を完了し得る。受信機により送信された受信済みのチャネル状態情報が第１の測定信号の検出遅延を含んでいるので、一次送信機によりチャネル状態情報に基づいて生成される第２のデータ信号は、第１の測定信号の検出遅延を既に含んでいる。この場合、一次送信機が第２のデータ信号を送信した後に、二次送信機は、共同送信のプロセスにおける一次送信機および二次送信機の検出遅延を効果的に解消するために、第２のデータ信号と第１の測定信号との間の位相差に基づいて、第１のデータ信号に含まれない検出遅延を補償するだけでよい。このように、一次送信機と二次送信機との間で信号を送信する時間が同期される。
【００１９】
任意選択的に、
第１の測定信号を二次送信機へ送信する段階の前に、方法は、
第１の共同送信通知フレームを二次送信機へ送信する段階であって、第１の共同送信通知フレームは、送信機グループ識別子を保持し、送信機グループ識別子は、一次送信機が属する送信機グループを識別するために用いられる、段階
をさらに備える。
【００２０】
本願の本実施形態において、一次送信機は、送信機グループ識別子を保持する第１の共同送信通知フレームを送信することにより、一次送信機と共にチャネル測定を実行する二次送信機を選択し、第１の測定信号の受信を準備するよう二次送信機に命令し得る。
【００２１】
任意選択的に、
第２のデータ信号を送信する段階の前に、方法は、
第２の共同送信通知フレームを二次送信機へ送信する段階であって、第２の共同送信通知フレームは、送信機グループ識別子を保持し、送信機グループ識別子は、一次送信機が属する送信機グループを識別するために用いられる、段階
をさらに備える。
【００２２】
本願の本実施形態において、一次送信機は、送信機グループ識別子を保持する第２の共同送信通知フレームを送信することにより、データ信号を一次送信機と共同送信する二次送信機を選択し、一次送信機により送信されるデータ信号の受信を準備するよう二次送信機に命令し得る。このように、一次送信機との共同送信は、一次送信機により送信されるデータ信号が受信された場合に実装される。
【００２３】
第３の態様によれば、信号送信方法が提供される。
方法は、
共同送信通知フレームを一次送信機が送信し、第１の期間が経過した後に第１のデータ信号を送信する段階であって、共同送信通知フレームは、一次送信機が属する送信機グループの送信機グループ識別子を保持する、段階と、
二次送信機が共同送信通知フレームを受信し、共同送信通知フレームが、二次送信機が属する送信機グループの送信機グループ識別子を保持する場合、第２の期間が経過した後に、二次送信機が一次送信機と同期的に第２のデータ信号を送信する段階と
を備える。
【００２４】
本願の本実施形態において、一次送信機は、共同送信通知フレームを送信することにより、二次送信機を選択し得る。一次送信機は、共同送信通知フレームの送信を完了した後、特定の期間が経過した後に、データ信号を送信し得る。二次送信機も、二次送信機が属する送信機グループの送信機グループ識別子を保持する共同送信通知フレームを二次送信機が受信した時点から特定の期間が経過した後に、第２のデータ信号を送信する。このように、一次送信機および二次送信機の共同送信時間が揃えられる。
【００２５】
第４の態様によれば、信号送信装置が提供される。信号送信装置は、第１の態様、第２の態様または第３の態様による信号送信方法を実装する機能を有する。信号送信装置は、少なくとも１つのモジュールを含む。少なくとも１つのモジュールは、第１の態様、第２の態様または第３の態様において提供される信号送信方法を実装するように構成される。
【００２６】
第５の態様によれば、信号送信装置が提供される。信号送信装置の構造は、プロセッサ、メモリおよび送受信機を含む。メモリは、第１の態様、第２の態様または第３の態様による信号送信方法の実行において信号送信装置をサポートするためのプログラムを格納し、第１の態様、第２の態様または第３の態様において提供される信号送信方法を実装するために用いられる関連データを格納するように構成される。プロセッサは、メモリに格納されたプログラムを実行するように構成される。送受信機は、信号送信動作および信号受信動作を実行するように構成される。信号送信装置は、通信バスをさらに備え得る。通信バスは、プロセッサとメモリと送受信機との間の接続を確立するように構成される。
【００２７】
第６の態様によれば、コンピュータ可読記憶媒体が提供される。コンピュータ可読記憶媒体は、命令を格納する。命令がコンピュータ上で実行された場合、コンピュータは、第１の態様、第２の態様または第３の態様による信号送信方法を実行する。
【００２８】
第７の態様によれば、命令を含むコンピュータプログラム製品が提供される。プログラム製品がコンピュータ上で実行された場合、コンピュータは、第１の態様、第２の態様または第３の態様による信号送信方法を実行することが可能になる。
【００２９】
第４の態様、第５の態様、第６の態様および第７の態様において得られる技術的効果は、第１の態様、第２の態様または第３の態様における対応する技術的手段を用いることにより得られる技術的効果と同様である。ここでは詳細を再度説明しない。
【００３０】
本願において提供される技術的解決手段によりもたらされる有益な効果は少なくとも、第１のデータ信号がチャネル状態情報に基づいて生成され、一次送信機により送信される第２のデータ信号が受信され、第２のデータ信号の位相が決定され、第１のデータ信号が、一次送信機により送信される第１の測定信号の位相と、一次送信機により送信される第２のデータ信号の位相とに基づいて送信されることを含む。チャネル状態情報は、一次送信機と受信機との間のチャネルの特性と、二次送信機と受信機との間のチャネルの特性とを表すために用いられ得る。本願の実施形態において、第２のデータ信号の検出遅延と第１の測定信号の検出遅延との間の遅延差が、一次送信機により送信される第２のデータ信号の位相と、一次送信機により送信される第１の測定信号の位相とを用いることにより、チャネル測定中に取得され得る。このことに基づいて、一次送信機および二次送信機による共同送信のプロセスにおいて生成される検出遅延が、これら２つの信号の位相に基づいて第１のデータ信号を送信することにより解消され得る。現在送信予定のデータ信号の位相が、一次送信機により送信されるデータ信号の位相に基づいて直接調整される関連技術と比較して、本願は、一次送信機により送信される第２のデータ信号の位相と、チャネル測定中に送信される第１のデータ信号の位相とに基づいて、二次送信機により送信される信号を調整することにより、測定誤差に対してより高い抵抗を有する。
【図面の簡単な説明】
【００３１】
【図１】本願の実施形態による信号送信方法が適用可能な実装環境の概略図である。
【００３２】
【図２】本願の実施形態によるネットワークデバイスの概略構造図である。
【００３３】
【図３】本願の実施形態による信号送信方法のフローチャートである。
【００３４】
【図４】本願の実施形態による別の信号送信方法のフローチャートである。
【００３５】
【図５】本願の実施形態による信号送信装置の概略構造図である。
【００３６】
【図６】本願の実施形態による別の信号送信装置の概略構造図である。
【発明を実施するための形態】
【００３７】
本願の目的、技術的解決手段および利点をより明確にするために、以下では、添付図面を参照して、本願の実装をさらに詳細に説明する。
【００３８】
本願の実施形態において提供される信号送信方法を詳細に説明する前に、まず、本願の実施形態における実装環境を説明する。
【００３９】
図１は、本願の実施形態による信号送信方法が適用可能な実装環境の概略図である。図１に示されるように、実装環境は、一次送信機１０１、二次送信機１０２および受信機１０３を含み得る。一次送信機１０１および二次送信機１０２は、無線ネットワークを用いることにより、互いに通信し得る。一次送信機１０１および受信機１０３は、無線ネットワークを用いることにより、互いに通信し得る。二次送信機１０２および受信機１０３も、無線ネットワークを用いることにより、互いに通信し得る。
【００４０】
任意選択的に、本願の本実施形態において提供される信号送信方法は、無線ローカルエリアネットワーク（Ｗｉｒｅｌｅｓｓ  Ｌｏｃａｌ  Ａｒｅａ  Ｎｅｔｗｏｒｋ、ＷＬＡＮ）に適用され得る。ＷＬＡＮは、アクセスポイント局（Ａｃｃｅｓｓ  Ｐｏｉｎｔ、ＡＰ）および非アクセスポイント局（Ｎｏｎｅ  Ａｃｃｅｓｓ  Ｐｏｉｎｔ  Ｓｔａｔｉｏｎ、Ｎｏｎ−ＡＰ  ＳＴＡ）を含む。説明を容易にするために、以下では、アクセスポイント局を略してＡＰと称し、非アクセスポイント局を略してＳＴＡと称する。
【００４１】
具体的には、本願の本実施形態において、図１に示される一次送信機１０１はＷＬＡＮにおけるＡＰであり得て、二次送信機１０２もＷＬＡＮにおけるＡＰであり得て、一次送信機として機能するＡＰおよび二次送信機として機能するＡＰは、互いに関連付けられている。すなわち、一次送信機１０１および二次送信機１０２は、互いに関連付けられている。概して、ＡＰは、無線アクセスポイント、ホットスポット等とも称され、有線ネットワークにアクセスするために携帯電話加入者により用いられるアクセスポイントであり、主に自宅またはビル内もしくは大学の構内に配置され、典型的には数十〜数百メートルのカバレッジ半径を有する。当然ながら、ＡＰは、屋外にも配置され得る。ＡＰは、有線ネットワークおよび無線ネットワークを接続するブリッジと均等である。ＡＰの主な機能は、様々なＳＴＡを接続し、次に、無線ネットワークを有線ネットワークに接続することである。具体的には、ＡＰは、ワイヤレスフィディリティ（Ｗｉｒｅｌｅｓｓ  Ｆｉｄｅｌｉｔｙ、Ｗｉ−Ｆｉ）チップを有するネットワークデバイス、例えば、ＡＰ機能またはサービスを提供する統合ルーティングおよびスイッチングアクセスデバイスであり得る。任意選択的に、ＡＰは、８０２．１１ａｘプロトコルをサポートするデバイスであり得る。さらに、任意選択的に、ＡＰは、８０２．１１ａｃ、８０２．１１ｎ、８０２．１１ｇ、８０２．１１ｂおよび８０２．１１ａなどの複数のＷＬＡＮ規格をサポートするデバイスであり得る。
【００４２】
図１に示される受信機１０３は、ＷＬＡＮにおけるＳＴＡであり得る。ＳＴＡは、無線通信チップ、無線センサまたは無線通信端末、例えば、Ｗｉ−Ｆｉ通信機能をサポートする携帯電話、Ｗｉ−Ｆｉ通信機能をサポートするタブレットコンピュータ、Ｗｉ−Ｆｉ通信機能をサポートするセットトップボックス、Ｗｉ−Ｆｉ通信機能をサポートするスマートテレビ、Ｗｉ−Ｆｉ通信機能をサポートするスマートウェアラブルデバイス、Ｗｉ−Ｆｉ通信機能をサポートする車載通信デバイス、および、Ｗｉ−Ｆｉ通信機能をサポートするコンピュータであり得る。任意選択的に、局は、８０２．１１ａｘ規格をサポートし得る。さらに、任意選択的に、局は、８０２．１１ａｃ、８０２．１１ｎ、８０２．１１ｇ、８０２．１１ｂおよび８０２．１１ａなどの複数のＷＬＡＮ規格をサポートする。
【００４３】
任意選択的に、本願の本実施形態において、一次送信機１０１および二次送信機１０２の両方が複数のアンテナを含み得て、複数の一次送信機１０１が存在し得て、各一次送信機１０１は、少なくとも１つの二次送信機１０２に対応し得る。加えて、各一次送信機１０１および少なくとも１つの対応する二次送信機１０２は、信号を受信機１０３へ送信するために送信機グループを形成する。任意選択的に、複数の受信機１０３と、各送信機グループに含まれる一次送信機１０１および少なくとも１つの二次送信機１０２とが代替的に存在し得て、各一次送信機１０１および各二次送信機１０２に含まれる複数のアンテナを用いることにより、信号を複数の受信機１０３へ同じ時点で、かつ、同じ周波数で共同送信し得る。
【００４４】
図２は、本発明の実施形態によるネットワークデバイスの概略構造図である。例えば、図１における一次送信機１０１、二次送信機１０２および受信機１０３は全て、図２に示されるネットワークデバイスを用いることにより実装され得る。図２を参照すると、ネットワークデバイスは、プロセッサ２０１、通信バス２０２、メモリ２０３、無線周波数回路２０４、少なくとも１つのアンテナ２０５およびベースバンド回路２０６を含む。
【００４５】
プロセッサ２０１は、汎用中央処理装置（Ｃｅｎｔｒａｌ  Ｐｒｏｃｅｓｓｉｎｇ  Ｕｎｉｔ、ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、または、本願の解決手段におけるプログラムの実行を制御するように構成された１または複数の集積回路であり得る。
【００４６】
通信バス２０２は、前述のコンポーネント間で情報を送信するためのチャネルを含み得る。
【００４７】
メモリ２０３は、リードオンリメモリ（ｒｅａｄ−ｏｎｌｙ  ｍｅｍｏｒｙ、ＲＯＭ）もしくは静的な情報および命令を格納できる別のタイプの静的記憶デバイス、もしくはランダムアクセスメモリ（ｒａｎｄｏｍ  ａｃｃｅｓｓ  ｍｅｍｏｒｙ、ＲＡＭ）、もしくは情報および命令を格納できる別のタイプの動的記憶デバイスであり得るか、または、電気的消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）、もしくは別のコンパクトディスクストレージ、光ディスクストレージ（圧縮光ディスク、レーザディスク、光ディスク、デジタル多用途ディスク、Ｂｌｕ−ｒａｙ（登録商標）ディスク等を含む）、磁気ディスク記憶媒体もしくは別の磁気記憶デバイス、もしくは、命令もしくはデータ構造の形式の予期されるプログラムコードを保持もしくは格納でき、コンピュータがアクセスできる任意の他の媒体であり得るが、これらに限定されない。メモリ２０３は、独立して存在し、通信バス２０２を用いることによりプロセッサ２０１に接続され得る。あるいは、メモリ２０３およびプロセッサ２０１は、統合され得る。
【００４８】
無線周波数回路２０４および少なくとも１つのアンテナ２０５は、無線信号の受信および送信を実装するために協働するように構成される。
【００４９】
ベースバンド回路２０６は、受信した無線信号または送信予定の無線信号を処理するように構成される。
【００５０】
実施形態としての特定の実装において、プロセッサ２０１は、１または複数のＣＰＵを含み得る。
【００５１】
実施形態としての特定の実装において、ネットワークデバイスは、出力デバイス（不図示）および入力デバイス（不図示）をさらに含み得る。出力デバイスは、プロセッサ２０１と通信し、情報を複数の方式で表示し得る。例えば、出力デバイスは、液晶ディスプレイ（ｌｉｑｕｉｄ  ｃｒｙｓｔａｌ  ｄｉｓｐｌａｙ、ＬＣＤ）発光ダイオード（ｌｉｇｈｔ  ｅｍｉｔｔｉｎｇ  ｄｉｏｄｅ、ＬＥＤ）ディスプレイデバイス  陰極線管（ｃａｔｈｏｄｅ  ｒａｙ  ｔｕｂｅ、ＣＲＴ）ディスプレイデバイス、プロジェクタ（ｐｒｏｊｅｃｔｏｒ）等であり得る。入力デバイスは、プロセッサ２０１と通信し、ユーザからの入力を複数の方式で受信し得る。例えば、入力デバイスは、マウス、キーボード、タッチスクリーンデバイスまたはセンシングデバイスであり得る。
【００５２】
メモリ２０３は、本願の解決手段を実行するために用いられるプログラムコードを格納するように構成される。実行は、プロセッサ２０１により制御される。プロセッサ２０１は、メモリ２０３に格納されたプログラムコード（不図示）を実行するように構成される。プログラムコードは、１または複数のソフトウェアモジュールを含み得る。図１に示される一次送信機または二次送信機は、プロセッサ２０１と、メモリ２０３内のプログラムコードにおける１または複数のソフトウェアモジュールとを用いることにより信号を送信し得る。
【００５３】
本願の本実施形態の実装環境についての前述の説明に基づいて、複数の一次送信機が存在し得て、各一次送信機が少なくとも１つの二次送信機に対応し、各一次送信機および少なくとも１つの対応する二次送信機が信号を複数の受信機へ共同送信するために送信機グループを形成し得ることが分かり得る。以下では、１つの一次送信機が１つの二次送信機に対応する例を用いて、本願の本実施形態において提供される信号送信方法を詳細に説明する。１つの一次送信機が複数の二次送信機に対応する場合、複数の二次送信機の各々が、以下の実施形態において説明される二次送信機の関連動作に基づいて、処理を実行し得る。
【００５４】
図３は、本願の実施形態による信号送信方法のフローチャートである。方法は、図１に示される実装環境に適用され得る。図３を参照すると、方法は、以下の段階を含む。
【００５５】
３０１：一次送信機が第１の測定信号を送信する。
【００５６】
本願の本実施形態において、一次送信機は、データ信号を送信する前に、まず、測定信号を送信することにより、一次送信機と受信機との間のチャネルを測定し得る。第１の測定信号は、チャネル測定フレームであり得る。チャネル測定フレームは、一次送信機により二次送信機と予めネゴシエートされ得る。
【００５７】
任意選択的に、本願の本実施形態において、一次送信機および二次送信機がデータを受信機へ共同送信する必要があるので、二次送信機は、データ信号を送信する前に、測定信号を送信することにより、二次送信機と受信機との間のチャネルの測定もし得る。二次送信機から送信される測定信号は、チャネル測定フレームでもあり得る。このことに基づいて、その後、二次送信機のチャネル測定フレームと一次送信機のチャネル測定フレームとが揃えられて送信され得ることを保証するために、一次送信機はさらに、第１の測定信号を送信する前に、第１の共同送信通知フレームを二次送信機および受信機へ送信し得る。第１の共同送信通知フレームは、送信機グループ識別子を保持する。送信機グループ識別子は、一次送信機が属する送信機グループを識別するために用いられ得る。第１の共同送信通知フレームにおいて保持される送信機グループ識別子を用いることにより、一次送信機は、第１の測定信号を受信し、一次送信機と共にチャネル測定を実行するよう、一次送信機と同じ送信機グループに属する二次送信機に命令し得る。
【００５８】
第１の共同送信通知フレームは、送信機グループ識別子を保持するのみならず、一次送信機の送信予定のデータを受信する受信機のデバイス識別子も保持することに留意すべきである。第１の共同送信通知フレームにおいて保持される受信機のデバイス識別子を用いることにより、一次送信機は、二次送信機により送信される第１の測定信号および第２の測定信号を受信することにより、第１の測定信号および第２の測定信号に基づいて、一次送信機と受信機との間のチャネルの特性を表すために用いられるチャネル状態情報、および、二次送信機と受信機との間のチャネルの特性を決定するよう、デバイス識別子により識別される受信機に命令し得る。
【００５９】
一次送信機は、第１の共同送信通知フレームを送信した後で、送信が完了した時点から固定期間にわたって待機した後に、第１の測定信号を送信し得る。固定期間は、短フレーム間隔（Ｓｈｏｒｔ  Ｉｎｔｅｒ  Ｆｒａｍｅ  Ｓｐａｃｅ、ＳＩＦＳ）であり得るか、または、固定期間は、予め設定された期間、例えば、１０マイクロ秒または１５マイクロ秒であり得る。
【００６０】
３０２：二次送信機が、第１の測定信号を受信し、第１の測定信号の位相を決定し、第２の測定信号を送信する。
【００６１】
本願の本実施形態において、二次送信機は、エアインタフェースを介して、一次送信機により送信される第１の測定信号をリッスンし得る。具体的には、第１の測定信号がチャネル測定フレームである場合において、二次送信機がチャネル測定フレームの物理フレーム同期ヘッダを受信したときは、二次送信機は、第１の測定信号の位相を測定および格納し得る。
【００６２】
一次送信機により送信される第１の測定信号を二次送信機がエアインタフェースを介してリッスンする場合、第１の測定信号の物理フレーム同期ヘッダの時点と第１の測定信号の物理フレーム同期ヘッダの到達の実際の時点との間のランダム検出遅延が検出されている、と二次送信機が決定することに留意すべきである。検出遅延により、二次送信機により受信される第１の測定信号と一次送信機により送信される第１の測定信号との間の特定の位相オフセットがもたらされる。このことに基づいて、二次送信機によりチャネル測定フレームの物理フレーム同期ヘッダが検出された場合、第１の測定信号の位相が測定および記録され得る。第１の測定信号の測定された位相は、実際には、検出遅延内の第１の測定信号の位相オフセットを表し、一次送信機による第１の測定信号の送信から二次送信機による第１の測定信号の受信までの検出遅延を表すためにも用いられ得る。
【００６３】
二次送信機は、第１の測定信号を受信した後に、第２の測定信号を受信機へ送信し得る。第２の測定信号は、チャネル測定フレームでもあり得る。第２の測定信号は、二次送信機と受信機との間のチャネルを測定するために用いられ得る。二次送信機は、第１の測定信号の物理フレーム同期ヘッダを受信した場合、第１の測定信号の物理フレーム同期ヘッダの時点に基づいて、第１の測定信号が受信されたフレーム本体の時点を決定し、次に、第１の測定信号が受信されたフレーム本体の時点で第２の測定信号を送信し得る。第１の測定信号の同期フレームヘッダが受信された時点と第１の測定信号が受信されたフレーム本体の時点との間の期間内に、二次送信機は、変換結果の受信および送信を実行し得る。加えて、第１の測定信号を受信するためのフレーム本体の決定した時点に達した場合、二次送信機により送信される第２の測定信号は、チャネル測定フレームの、フレームヘッダを除くフレーム本体であり得る。
【００６４】
例えば、一次送信機が第１の測定信号を時点
【数１】
2021500774.tif 000003
で送信し、二次送信機が第１の測定信号の物理フレーム同期ヘッダを時点
【数２】
2021500774.tif 000004
で受信する、と仮定すると、特定の位相オフセットが
【数３】
2021500774.tif 000005
内で第１の測定信号に生じる。このことに基づいて、二次送信機が第１の測定信号の物理フレーム同期ヘッダを受信した場合、第１の測定信号の位相は、記録され得る。この時点で、第１の測定信号の位相は、
【数４】
2021500774.tif 000006
内で第１の測定信号の位相オフセットを表すために用いられ得る、すなわち、検出遅延
【数５】
2021500774.tif 000007
を表すために用いられ得る。二次送信機は、時点
【数６】
2021500774.tif 000008
に基づいて、第１の測定信号のフレーム本体の到達の時点
【数７】
2021500774.tif 000009
を決定し、第１の測定信号のフレーム本体の到達の時点
【数８】
2021500774.tif 000010
で、フレーム本体を含む第２の測定信号を送信し得る。
【数９】
2021500774.tif 000011
内で、二次送信機は、変換結果の受信および送信を実行し得る。
【００６５】
段階３０１における説明に基づいて、一次送信機はさらに、第１の測定信号を送信する前に、第１の測定信号を受信するよう二次送信機に通知するために用いられる第１の共同送信通知フレームを二次送信機へ送信し得ることが分かり得ることに留意すべきである。このことに基づいて、第１の測定信号を受信する前に、二次送信機は、第１の共同送信通知フレームを受信した場合、第１の共同送信通知フレームにおいて保持する送信機グループ識別子が、二次送信機が属する送信機グループ識別子であるかどうかを検出することにより、第１の共同送信通知フレームが二次送信機に通知するために用いられているかどうかを検出し得る。二次送信機は、二次送信機が属する送信機グループ識別子を格納し得る。
【００６６】
具体的には、二次送信機は、第１の共同送信通知フレームにおいて保持される送信機グループ識別子が、二次送信機に格納されている送信機グループ識別子と同じであるかどうかを比較し得て、当該送信機グループ識別子が、二次送信機に格納されている送信機グループ識別子と同じである場合、これは、チャネル測定が、二次送信機が属する送信機グループにおける一次送信機により実行されることを示す。従って、二次送信機は、第２の測定信号を生成し、一次送信機により送信される第１の測定信号の検出を準備し得る。これにより、第１の測定信号の物理フレーム同期ヘッダが検出された場合、第１の測定信号の物理フレーム同期ヘッダが到達した時点に基づいて、第１の測定信号のフレーム本体が到達した時点が決定され、さらに、第１の測定信号のフレーム本体が到達したと決定した時点で第２の測定信号が送信されて、一次送信機でのチャネル測定が完了する。
【００６７】
３０３：受信機が、第１の測定信号および第２の測定信号を受信し、第１の測定信号および第２の測定信号に基づいてチャネル状態情報を決定し、チャネル状態情報を一次送信機および二次送信機へ別個に送信する。
【００６８】
受信機は、一次送信機により送信される第１の測定信号と、二次送信機により送信される第２の測定信号とを受信し得る。次に、受信機は、第１の測定信号および第２の測定信号に基づいて、受信機と一次送信機との間のチャネルのステータスパラメータと、受信機と二次送信機との間のチャネルのステータスパラメータとを決定し得る。次に、受信機は、これら２つのチャネルの決定したステータスパラメータを組み合わせてチャネル状態情報を取得し、チャネル状態情報を一次送信機および二次送信機へ別個に送信し得る。チャネル状態情報は、一次送信機と受信機との間のチャネルのステータスパラメータと、二次送信機と受信機との間のチャネルのステータスパラメータとを含む。従って、チャネル状態情報は、一次送信機と受信機との間のチャネルの特性と、二次送信機と受信機との間のチャネルの特性とを表すために用いられ得る。
【００６９】
具体的には、本願の本実施形態において、受信機は、これら２つのチャネルのステータスパラメータを組み合わせてチャネル行列を取得し得る。すなわち、チャネル状態情報は、チャネル行列により表され得る。あるいは、受信機は、これら２つのチャネルのステータスパラメータを１つのアレイへと組み合わせ得る。この場合、チャネル状態情報は、アレイにより表され得る。当然ながら、チャネル状態情報は、代替的に、別の形式で表され得る。このことは、本願の本実施形態において具体的に限定されない。
【００７０】
任意選択的に、３０１における前述の説明に基づいて、一次送信機は、第１の測定信号を送信する前に、さらに、第１の共同送信通知フレームを送信して、二次送信機および受信機に通知し得ることが分かり得る。このことに基づいて、第１の測定信号を受信する前に、受信機は、第１の共同送信通知フレームを受信した場合、第１の共同送信通知フレームが受信機のデバイス識別子を保持しているかどうかを検出し得る。第１の共同送信通知フレームが受信機のデバイス識別子を保持している場合、これは、その後、チャネル測定が実行される必要があることを示す。この時点で、受信機は、測定信号の受信を準備し得る。一次送信機は、第１の共同送信通知フレームが送信された時点から開始する固定期間の後に、第１の測定信号を送信する。加えて、二次送信機は、第１の測定信号の物理フレーム同期ヘッダを検出した後直ちに、第１の測定信号のフレーム本体の到達の時点で、第２の測定信号も送信する。従って、受信機は、第１の共同送信通知フレームを受信した後に、その後到達する測定信号の受信を準備することにより、その後到達する測定信号に基づいて、受信機と測定信号を送信するデバイスとの間のチャネルのステータスパラメータを決定し得る。
【００７１】
３０４：一次送信機が、チャネル状態情報に基づいて第２のデータ信号を生成し、第２のデータ信号を送信する。
【００７２】
一次送信機は、受信機により送信されるチャネル状態情報を受信し、チャネル状態情報に基づいてプリコーディング行列を決定し得る。次に、一次送信機は、決定したプリコーディング行列に基づいて送信予定のデータを符号化して第２のデータ信号を取得し、第２のデータ信号を二次送信機および受信機へ送信し得る。
【００７３】
具体的には、ゼロフォーシングプリコーディングが例として用いられる。チャネル状態情報がチャネル行列
【数１０】
2021500774.tif 000012
であると仮定すると、一次送信機は、チャネル行列に基づいて、プリコーディング行列
【数１１】
2021500774.tif 000013
が得られている、と判断し得る。次に、一次送信機は、プリコーディング行列に基づいて送信予定のデータ
【数１２】
2021500774.tif 000014
を符号化して、第２のデータ信号
【数１３】
2021500774.tif 000015
を生成し得る。
【００７４】
任意選択的に、本願の本実施形態において、一次送信機は、第２のデータ信号を送信する前に、さらに、第２の共同送信通知フレームを二次送信機および受信機へ送信し得る。第２の共同送信通知フレームは、一次送信機が属する送信機グループの送信機グループ識別子と、受信機のデバイス識別子とを保持し得る。送信機グループ識別子は、一次送信機により送信される第２のデータ信号を受信した場合、データ信号を一次送信機と共同送信するよう、一次送信機と同じ送信機グループに属する二次送信機に命令するために用いられ得る。受信機のデバイス識別子は、第２の共同送信通知フレームの後に到達するデータ信号を受信するよう受信機に命令するために用いられ得る。
【００７５】
３０５：二次送信機が、チャネル状態情報に基づいて第１のデータ信号を生成する。
【００７６】
二次送信機が、受信機により送信されるチャネル状態情報を受信し、チャネル状態情報に基づいてプリコーディング行列を決定し得る。次に、二次送信機は、決定したプリコーディング行列に基づいて送信予定のデータを符号化して第１のデータ信号を取得し、第１のデータ信号を受信機へ送信し得る。
【００７７】
具体的には、ゼロフォーシングプリコーディングが例として用いられる。チャネル状態情報がチャネル行列
【数１４】
2021500774.tif 000016
であると仮定すると、二次送信機は、チャネル行列に基づいて、プリコーディング行列
【数１５】
2021500774.tif 000017
が得られている、と判断し得る。次に、二次送信機は、プリコーディング行列に基づいて送信予定のデータ
【数１６】
2021500774.tif 000018
を符号化して、第１のデータ信号
【数１７】
2021500774.tif 000019
を生成し得る。
【００７８】
チャネル状態情報は、受信機により、第１の測定信号および第２の測定信号に基づいて決定される、すなわち、チャネル状態情報は、二次送信機が第１の測定信号を検出した場合に生成される検出遅延により生じる影響を含むことに留意すべきである。このことに基づいて、一次送信機および二次送信機は、チャネル状態情報に基づいて、送信予定のデータを別個に符号化し、生成された第１のデータ信号および第２のデータ信号は、実際には、第１の測定信号の検出遅延により生じる影響も含む。
【００７９】
３０６：二次送信機が、第２のデータ信号を受信し、第２のデータ信号の位相を決定する。
【００８０】
本願の本実施形態において、二次送信機は、エアインタフェースを介して、一次送信機により送信される第２のデータ信号をリッスンし得る。具体的には、第２のデータ信号がデータフレームである場合において、データフレームのフレームヘッダが二次送信機によりエアインタフェースを介して検出されたときは、第２のデータ信号の位相は、測定され得る。
【００８１】
二次送信機が、エアインタフェースを介して、一次送信機により送信される第２のデータ信号の物理フレーム同期ヘッダをリッスンする場合、ランダム検出遅延も存在することに留意すべきである。検出遅延により、第２のデータ信号の特定の位相オフセットも生じる。加えて、検出遅延は、いくつかのランダム誤差を含むので、第１の測定信号の検出遅延と同じにはなり得ない。すなわち、第２のデータ信号の検出遅延により生じる第２のデータ信号の位相オフセットは、第１の測定信号の検出遅延により生じる第１の測定信号の位相オフセットと同じにはなり得ない。二次送信機は、第２のデータ信号の物理フレーム同期ヘッダを検出する場合、第２のデータ信号の位相を測定および格納し得る。この時点で、第２のデータ信号の位相は、実際には、第２のデータ信号に対応する検出遅延内の第２のデータ信号の位相オフセットを表し得る。加えて、第２のデータ信号の位相は、二次送信機がエアインタフェースを介して第２のデータ信号をリッスンする場合に検出される、第２のデータ信号の物理フレーム同期ヘッダの検出遅延を表すために用いられ得る。
【００８２】
任意選択的に、３０４における説明に基づいて、一次送信機は、第２のデータ信号を送信する前に、第２の共同送信通知フレームを送信し得ることが分かり得る。このことに基づいて、二次送信機は、第２の共同送信通知フレームを受信した場合、第２の共同送信通知フレームが、二次送信機が属する送信機グループの送信機グループ識別子を保持しているかどうかを検出し得る。第２の共同送信通知フレームが、二次送信機が属する送信機グループの送信機グループ識別子を保持している場合、これは、二次送信機と同じ送信機グループに属する一次送信機がデータ信号を後で送信することを示す。この時点で、二次送信機は、その後に到達する第２のデータ信号の受信を準備することにより、第２のデータ信号の位相に基づいて、第１のデータ信号が送信された時点を決定し得る。このように、二次送信機および一次送信機は、データ信号を共同送信する。
【００８３】
任意選択的に、可能な実装において、段階３０６は、二次送信機が第２の共同送信通知フレームを受信し、第２の共同送信通知フレームが、二次送信機が属する送信機グループの送信機グループ識別子を保持している、と判断した場合にも実行され得る。すなわち、二次送信機は、第２の共同送信通知フレームが、二次送信機が属する送信機グループの送信機グループ識別子を保持していることを検出した場合、第１のデータ信号を生成し得て、これにより、二次送信機および一次送信機は、第２のデータ信号を受信した場合、第２のデータ信号の位相に基づいて、第１のデータ信号を共同送信し得る。
【００８４】
３０７：二次送信機が、第１の測定信号の位相と第２のデータ信号の位相とに基づいて、時間間隔の数を決定する。
【００８５】
第２のデータ信号の位相が決定された後に、第２のデータ信号がチャネル状態情報に基づいて生成され、チャネル状態情報は、実際には、第１の測定信号の検出遅延を含むので、二次送信機は、第２のデータ信号の位相と第１の測定信号の位相との間の位相差を決定し得る。位相差は、第２のデータ信号の検出遅延と第１の測定信号の検出遅延との間の遅延差を表すために用いられ得る。第２のデータ信号が第１の測定信号の検出遅延を既に含んでいることに基づいて、第１のデータ信号がその後に送信される場合、第１のデータ信号も第１の測定信号の検出遅延を既に含んでいるので、第２のデータ信号の検出遅延と第１の測定信号の検出遅延との間の異、すなわち、前述の遅延差のみが補償される必要がある。これにより、第１のデータ信号および第２のデータ信号が同期され得る。言い換えれば、本願の本実施形態において、第２のデータ信号の検出遅延と第１の測定信号の検出遅延との間の遅延差は、実際には、第１のデータ信号と第２のデータ信号との間の遅延である。
【００８６】
二次送信機は、第２のデータ信号の位相と第１の測定信号の位相との間の位相差を信号サンプリング時間間隔の数へと変換し得る。この時間間隔の数は、第１のデータ信号と第２のデータ信号との間の遅延を表すために用いられる。
【００８７】
具体的には、二次送信機は、
【数１８】
2021500774.tif 000020
という式を用いることにより、時間間隔、および、第２のデータ信号の位相と第１の測定信号の位相との間の位相差に基づいて、現在の信号サンプリング時間を取得し、時間間隔の数を決定し得る。
【数１９】
2021500774.tif 000021
は、時間間隔の数であり、
【数２０】
2021500774.tif 000022
は、第１の測定信号の位相と第２のデータ信号の位相との間の位相差であり、
【数２１】
2021500774.tif 000023
は、現在の信号サンプリング時間間隔であり、
【数２２】
2021500774.tif 000024
は、サブキャリア間隔であり、サブキャリアは、変調を実行して第１の測定信号および第２のデータ信号を取得するために用いられるキャリアである。
【００８８】
３０８：二次送信機が、時間間隔の数に基づいて第１のデータ信号を送信する。
【００８９】
本願の本実施形態において、二次送信機は、第２のデータ信号の物理フレーム同期ヘッダを受信した場合、第２のデータ信号の物理フレーム同期ヘッダの受信時点に基づいて、第２のデータ信号のフレーム本体の受信時点を推定し得る。加えて、第２のデータ信号の位相と第１の測定信号の位相との間の位相差は、正または負であり得る。位相差が正である場合、決定される時間間隔の数
【数２３】
2021500774.tif 000025
は正である。この場合、二次送信機は、第２のデータ信号のフレーム本体の推定される受信時点から、
【数２４】
2021500774.tif 000026
個の信号サンプリング時間間隔で、第１のデータ信号を予め送信し得る。位相差が負である場合、決定される時間間隔の数も負である。この場合、二次送信機は、第２のデータ信号のフレーム本体の推定される受信時点から、
【数２５】
2021500774.tif 000027
個の信号サンプリング時間間隔で、第１のデータ信号の送信を遅延させ得る。
【００９０】
本願の本実施形態において、データ信号が送信される前に、一次送信機は、第１の測定信号を送信し得て、二次送信機は、第１の測定信号を受信した場合、第２の測定信号を送信し得る。その後、受信機は、第１の測定信号および第２の測定信号を受信した場合、第１の測定信号および第２の測定信号に基づいてチャネル状態情報を決定し、チャネル状態情報を一次送信機および二次送信機へ別個に送信し得る。チャネル状態情報が第１の測定信号の検出遅延を含むので、一次送信機によりチャネル状態情報に基づいて生成される第２のデータ信号と、二次送信機によりチャネル状態情報に基づいて生成される第１のデータ信号との両方が、第１の測定信号の検出遅延を含む。このように、二次送信機は、一次送信機により送信される第２のデータ信号を受信した場合、第２のデータ信号の位相を第１の測定信号の位相と比較するだけでよく、これにより、第２のデータ信号の検出遅延と第１の測定信号の検出遅延との間の遅延差を取得する。第１の測定信号の検出遅延は、第１のデータ信号および第２のデータ信号に既に含まれているので、第１のデータ信号が送信された場合、第１のデータ信号および第２のデータ信号の検出遅延の影響を解消するために、第２のデータ信号の検出遅延と第１の測定信号の検出遅延との間の遅延差のみが補償される必要がある。このように、第１のデータ信号と第２のデータ信号との間の時間同期が実装される。一次送信機により送信されるデータ信号の位相が、二次送信機により送信されるデータ信号の位相を調整するために直接用いられる関連技術と比較して、本願の本実施形態は、相対位相差を用いることにより第１のデータ信号の送信時点を調整することにより、測定誤差に対してより高い抵抗を有する。
【００９１】
前述の実施形態は主に、一次送信機および二次送信機がデータ信号を共同送信する場合、どのようにデータ信号の時間同期を実装するかを説明している。可能な実装において、一次送信機および二次送信機は、前述の実施形態とは異なる別の方式で、データ信号の時間同期を実装し得る。この場合、一次送信機は、図４に示される方法を用いて、一次送信機により送信されるデータフレームと二次送信機により送信されるデータフレームとの間のフレームアライメントを実装し得る。
【００９２】
図４は、本願の実施形態による別の信号送信方法のフローチャートである。方法は、図１に示される実装環境に適用され得る。方法は、以下の段階を含む。
【００９３】
４０１：一次送信機が、共同送信通知フレームを送信し、第１の期間が経過した後に、第１のデータ信号を送信する。
【００９４】
本願の本実施形態において、一次送信機は、データ信号を送信する前に、まず、共同送信通知フレームを送信し得る。共同送信通知フレームは、一次送信機が属する送信機グループの送信機グループ識別子を保持し得る。送信機グループ識別子を保持する共同送信通知フレームを用いることにより、一次送信機は、データ信号を一次送信機と同期的に送信するよう、一次送信機と同じ送信機グループに属する二次送信機に命令し得る。
【００９５】
任意選択的に、共同送信通知フレームはさらに、受信機のデバイス識別子を保持し得る。デバイス識別子を用いることにより、一次送信機は、一次送信機および二次送信機により同期的に送信されるデータ信号を受信するよう、デバイス識別子により識別される受信機に命令し得る。
【００９６】
一次送信機は、共同送信通知フレームを送信した後、共同送信通知フレームの送信が完了した時点から第１の期間が経過した後に、第１のデータ信号を送信し得る。第１の期間は、短フレーム間隔（Ｓｈｏｒｔ  Ｉｎｔｅｒ  Ｆｒａｍｅ  Ｓｐａｃｅ、ＳＩＦＳ）であり得るか、または、第１の期間は、予め設定された期間、例えば、１０マイクロ秒または１５マイクロ秒であり得る。加えて、第１のデータ信号は、送信予定のデータを一次送信機により符号化することにより取得される信号である。
【００９７】
４０２：二次送信機が共同送信通知フレームを受信し、共同送信通知フレームが、二次送信機が属する送信機グループの送信機グループ識別子を保持している場合、二次送信機は、第２の期間が経過した後に、第２のデータ信号を一次送信機と同期的に送信する。
【００９８】
二次送信機は、エアインタフェースを介して、一次送信機により送信される信号をリッスンし得る。二次送信機は、一次送信機により送信される共同送信通知フレームを受信した場合、共同送信通知フレームが、二次送信機が属する送信機グループの送信機グループ識別子を保持しているかどうかを検出し得る。共同送信通知フレームが、二次送信機が属する送信機グループの送信機グループ識別子を保持している場合、これは、二次送信機と同じ送信機グループに属する一次送信機が第１のデータ信号を後で送信することを示し、二次送信機は、第２のデータ信号を一次送信機と同期的に送信する必要がある。このことに基づいて、二次送信機は、送信予定のデータを符号化して第２のデータ信号を生成し、共同送信通知フレームのフレームトレイラが受信された時点から第２の期間が経過した後に、第２のデータ信号を送信し得る。第２の期間は、短フレーム間隔（Ｓｈｏｒｔ  Ｉｎｔｅｒ  Ｆｒａｍｅ  Ｓｐａｃｅ、ＳＩＦＳ）であり得るか、または、第２の期間は、予め設定された期間、例えば、１０マイクロ秒または１５マイクロ秒であり得る。加えて、第２の期間は、第１の期間と同じであり得るか、または第１の期間とは異なり得る。
【００９９】
本願の本実施形態において、一次送信機は、第１のデータ信号を送信する前に、まず、共同送信通知フレームを送信して、一次送信機と同じ送信機グループに属する二次送信機に、データ信号を二次送信機と同期的に送信するよう命令し得る。すなわち、本願の本実施形態において、一次送信機は、共同送信通知フレームを用いることにより、送信機を選択し得る。一次送信機は、共同送信通知フレームの送信を完了した後、特定の期間が経過した後に、データ信号を送信し得る。二次送信機も、二次送信機が属する送信機グループの送信機グループ識別子を保持する共同送信通知フレームのフレームトレイラが受信された時点から特定の期間が経過した後に、第２のデータ信号を送信する。このように、一次送信機および二次送信機の共同送信時間が揃えられる。
【０１００】
上記は、本願の実施形態において提供される信号送信方法を説明している。以下では、前述の方法を実行する装置を説明する。
【０１０１】
図５を参照すると、本願の実施形態は、信号送信装置を提供する。装置は、前述の実施形態における二次送信機であり得る。装置は、チャネル状態情報に基づいて第１のデータ信号を生成するように構成された生成モジュール５０１であって、チャネル状態情報は、一次送信機と受信機との間のチャネルの特性と、二次送信機と受信機との間のチャネルの特性とを表すために用いられる、生成モジュール５０１と、
一次送信機により送信される第２のデータ信号を受信し、第２のデータ信号の位相を決定するように構成された受信モジュール５０２と、
一次送信機により送信される第１の測定信号の位相と、一次送信機により送信される第２のデータ信号の位相とに基づいて第１のデータ信号を送信するように構成された送信モジュール５０３と
を備える。
【０１０２】
任意選択的に、受信モジュール５０２はさらに、一次送信機により送信される第１の測定信号を受信し、第１の測定信号の位相を決定するように構成され、
送信モジュール５０３はさらに、第２の測定信号を受信機へ送信するように構成され、
受信モジュール５０２はさらに、第１の測定信号および第２の測定信号に基づいて受信機により決定されるチャネル状態情報を受信するように構成される。
【０１０３】
任意選択的に、装置は、トリガモジュール（不図示）をさらに備える。
【０１０４】
受信モジュール５０２はさらに、一次送信機により送信される第１の共同送信通知フレームを受信するように構成され、第１の共同送信通知フレームは、送信機グループ識別子を保持し、送信機グループ識別子は、一次送信機が属する送信機グループを識別するために用いられ、
トリガモジュールは、第１の共同送信通知フレームにより保持される送信機グループ識別子が、格納されている送信機グループ識別子と同じである場合、第１の共同送信通知フレームの受信が終了した時点から第１の期間が経過した後に、一次送信機により送信される第１の測定信号を受信するよう受信モジュールをトリガするように構成される。
【０１０５】
任意選択的に、受信モジュール５０２はさらに、一次送信機により送信される第２の共同送信通知フレームを受信するように構成され、第２の共同送信通知フレームは、送信機グループ識別子を保持し、送信機グループ識別子は、一次送信機が属する送信機グループを識別するために用いられ、
トリガモジュールはさらに、第２の共同送信通知フレームにより保持される送信機グループ識別子が、格納されている送信機グループ識別子と同じである場合、第２の共同送信通知フレームの受信が終了した時点から第２の期間が経過した後に、一次送信機により送信される第２のデータ信号を受信するよう受信モジュールをトリガするように構成される。
【０１０６】
任意選択的に、送信モジュール５０３は、具体的には、
現在の信号サンプリング時間間隔を取得し、
第２のデータ信号の位相と第１の測定信号の位相との間の位相差を決定し、
信号サンプリング時間間隔および位相差に基づいて、時間間隔の数を決定し、
時間間隔の数に基づいて、第１のデータ信号を送信する
ように構成される。
【０１０７】
要約すると、本願の本実施形態において、チャネル状態情報が第１の測定信号の検出遅延を含むので、一次送信機によりチャネル状態情報に基づいて生成される第２のデータ信号と、二次送信機によりチャネル状態情報に基づいて生成される第１のデータ信号との両方が、第１の測定信号の検出遅延を含む。このように、二次送信機は、一次送信機により送信される第２のデータ信号を受信した場合、第２のデータ信号の位相を第１の測定信号の位相と比較するだけでよく、これにより、第２のデータ信号の検出遅延と第１の測定信号の検出遅延との間の遅延差を取得する。第１の測定信号の検出遅延は、第１のデータ信号および第２のデータ信号に既に含まれているので、第１のデータ信号が送信された場合、第１のデータ信号および第２のデータ信号の検出遅延の影響を解消するために、第２のデータ信号の検出遅延と第１の測定信号の検出遅延との間の遅延差のみが補償される必要がある。このように、第１のデータ信号と第２のデータ信号との間の時間同期が実装される。一次送信機により送信されるデータ信号の位相が、二次送信機により送信されるデータ信号の位相を調整するために直接用いられる関連技術と比較して、本願の本実施形態は、相対位相差を用いることにより第１のデータ信号の送信時点を調整することにより、測定誤差に対してより高い抵抗を有する。
【０１０８】
図６を参照すると、本願の実施形態は、信号送信装置を提供する。装置は、前述の実施形態における一次送信機であり得る。装置は、
第１の測定信号を二次送信機へ送信することにより、二次送信機が第１の測定信号に基づいて第２の測定信号を送信するように構成された送信モジュール６０１と、
第１の測定信号および第２の測定信号に基づいて受信機により決定されるチャネル状態情報を受信し、チャネル状態情報に基づいて第２のデータ信号を生成するように構成された受信モジュールであって、チャネル状態情報は、一次送信機と受信機との間のチャネルの特性と、二次送信機と受信機との間のチャネルの特性とを表すために用いられる、受信モジュール６０２と
を備える。
【０１０９】
送信モジュール６０１はさらに、第２のデータ信号を送信するように構成される。
【０１１０】
任意選択的に、送信モジュール６０１はさらに、第１の共同送信通知フレームを二次送信機へ送信するように構成され、第１の共同送信通知フレームは、送信機グループ識別子を保持し、送信機グループ識別子は、一次送信機が属する送信機グループを識別するために用いられる。
【０１１１】
任意選択的に、送信モジュール６０１はさらに、第２の共同送信通知フレームを二次送信機へ送信するように構成され、第２の共同送信通知フレームは、送信機グループ識別子を保持し、送信機グループ識別子は、一次送信機が属する送信機グループを識別するために用いられる。
【０１１２】
本願の本実施形態において、一次送信機が、送信機グループ識別子を保持する第２の共同送信通知フレームを送信することにより、データ信号を一次送信機と共同送信する二次送信機を選択し、一次送信機により送信されるデータ信号の受信を準備するよう二次送信機に命令し得ることにより、二次送信機は、一次送信機により送信されるデータ信号を受信した場合にデータ信号を一次送信機と共同送信する。
【０１１３】
前述の実施形態において提供される信号送信装置が信号を送信する場合、前述の機能モジュールへの分割は、説明のための例として用いられているに過ぎないことに留意すべきである。実際の用途において、前述の機能は、実装に必要とされるものとは異なる機能モジュールに割り当てられ得る。具体的には、デバイスの内部構造は、上記で説明された機能の全てまたはいくつかを完了するために、異なる機能モジュールに分割される。加えて、前述の実施形態において提供される信号送信装置および信号送信方法の実施形態は、同じ概念に属する。信号送信装置の具体的な実装プロセスについては、方法の実施形態を参照されたい。ここでは詳細を再度説明しない。
【０１１４】
前述の実施形態の全てまたはいくつかは、ソフトウェア、ハードウェア、ファームウェア、またはこれらの任意の組み合わせを用いることにより実装され得る。実施形態を実装するのにソフトウェアが用いられる場合、実施形態の全てまたはいくつかは、コンピュータプログラム製品の形態で実装され得る。コンピュータプログラム製品は、１または複数のコンピュータ命令を含む。コンピュータ命令がコンピュータ上でロードおよび実行された場合、本発明の実施形態による手順または機能の全てまたはいくつかが生成される。コンピュータは、汎用コンピュータ、専用コンピュータ、コンピュータネットワークまたは別のプログラム可能な装置であってよい。コンピュータ命令は、コンピュータ可読記憶媒体に格納されても、コンピュータ可読記憶媒体から別のコンピュータ可読記憶媒体へ伝送されてもよい。例えば、コンピュータ命令は、あるウェブサイト、コンピュータ、サーバまたはデータセンタから、別のウェブサイト、コンピュータ、サーバまたはデータセンタへ、有線（例えば、同軸ケーブル、光ファイバまたはデジタル加入者線（Ｄｉｇｉｔａｌ  Ｓｕｂｓｃｒｉｂｅｒ  Ｌｉｎｅ、ＤＳＬ））または無線（例えば、赤外線、電波またはマイクロ波）方式で伝送されてよい。コンピュータ可読記憶媒体は、コンピュータがアクセス可能な任意の使用可能な媒体であっても、１または複数の使用可能な媒体を統合したサーバまたはデータセンタなどのデータ記憶デバイスであってもよい。使用可能な媒体は、磁気媒体（例えば、フロッピ（登録商標）ディスク、ハードディスクまたは磁気テープ）、光媒体（例えば、デジタル多用途ディスク（Ｄｉｇｉｔａｌ  Ｖｅｒｓａｔｉｌｅ  Ｄｉｓｃ、ＤＶＤ））、半導体媒体（例えば、ソリッドステートドライブ（Ｓｏｌｉｄ  Ｓｔａｔｅ  Ｄｉｓｋ、ＳＳＤ））等であってよい。
【０１１５】
当業者であれば、実施形態の段階の全てまたはいくつかが、ハードウェアを用いることにより、または関連するハードウェアに命令するプログラムにより実装され得ることを理解し得る。プログラムは、コンピュータ可読記憶媒体に格納され得る。記憶媒体は、リードオンリメモリ、磁気ディスクまたはコンパクトディスクを含み得る。
【０１１６】
前述の説明は、本願の実施形態の例に過ぎず、本願を限定することを意図していない。本願の趣旨および原理から逸脱することなく行われるあらゆる修正、均等な置き換えまたは改良は、本願の保護範囲に含まれるべきである。
【図１】
2021500774.tif 000028
【図２】
2021500774.tif 000029
【図３】
2021500774.tif 000030
【図４】
2021500774.tif 000031
【図５】
2021500774.tif 000032
【図６】
2021500774.tif 000033
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
チャネル状態情報に基づいて第１のデータ信号を生成する段階であって、前記チャネル状態情報は、一次送信機と受信機との間のチャネルの特性と、二次送信機と前記受信機との間のチャネルの特性とを表すために用いられる、段階と、
前記一次送信機により送信される第２のデータ信号を受信し、前記第２のデータ信号の位相を決定する段階と、
前記一次送信機により送信される第１の測定信号の位相と、前記一次送信機により送信される前記第２のデータ信号の前記位相とに基づいて、前記第１のデータ信号を送信する段階と
を備える信号送信方法。
【請求項２】
チャネル状態情報に基づいて第１のデータ信号を生成する前記段階の前に、
前記一次送信機により送信される前記第１の測定信号を受信し、前記第１の測定信号の前記位相を決定し、第２の測定信号を前記受信機へ送信する段階と、
前記第１の測定信号および前記第２の測定信号に基づいて、前記受信機により決定される前記チャネル状態情報を受信する段階と
をさらに備える、または、
前記一次送信機により送信される第２のデータ信号を受信する前記段階の前に、
前記一次送信機により送信される第２の共同送信通知フレームを受信する段階であって、前記第２の共同送信通知フレームは、送信機グループ識別子を保持し、前記送信機グループ識別子は、前記一次送信機が属する送信機グループを識別するために用いられる、段階と、
前記第２の共同送信通知フレームにより保持される前記送信機グループ識別子が、格納されている送信機グループ識別子と同じである場合、前記第２の共同送信通知フレームの受信が終了した時点から第２の期間が経過した後に、前記一次送信機により送信される前記第２のデータ信号を受信する前記段階を実行する段階と
をさらに備える、
請求項１に記載の信号送信方法。
【請求項３】
前記一次送信機により送信される前記第１の測定信号を受信する前記段階の前に、
前記一次送信機により送信される第１の共同送信通知フレームを受信する段階であって、前記第１の共同送信通知フレームは、送信機グループ識別子を保持し、前記送信機グループ識別子は、前記一次送信機が属する送信機グループを識別するために用いられる、段階と、
前記第１の共同送信通知フレームにより保持される前記送信機グループ識別子が、格納されている送信機グループ識別子と同じである場合、前記第１の共同送信通知フレームの受信が終了した時点から第１の期間が経過した後に、前記一次送信機により送信される前記第１の測定信号を受信する前記段階を実行する段階と
をさらに備える、請求項２に記載の信号送信方法。
【請求項４】
前記一次送信機により送信される第１の測定信号の位相と、前記一次送信機により送信される前記第２のデータ信号の前記位相とに基づいて、前記第１のデータ信号を送信する前記段階は、
現在の信号サンプリング時間間隔を取得する段階と、
前記第２のデータ信号の前記位相と前記第１の測定信号の前記位相との間の位相差を決定する段階と、
前記信号サンプリング時間間隔および前記位相差に基づいて、時間間隔の数を決定する段階と、
前記時間間隔の数に基づいて、前記第１のデータ信号を送信する段階と
を有する、請求項１から３のいずれか一項に記載の信号送信方法。
【請求項５】
第１の測定信号を二次送信機へ送信することにより、前記二次送信機が前記第１の測定信号に基づいて第２の測定信号を送信する段階と、
前記第１の測定信号および前記第２の測定信号に基づいて受信機により決定されるチャネル状態情報を受信し、前記チャネル状態情報に基づいて第２のデータ信号を生成する段階であって、前記チャネル状態情報は、一次送信機と前記受信機との間のチャネルの特性と、前記二次送信機と前記受信機との間のチャネルの特性とを表すために用いられる、段階と、
前記第２のデータ信号を送信する段階と
を備える信号送信方法。
【請求項６】
第１の測定信号を二次送信機へ送信する前記段階の前に、
第１の共同送信通知フレームを前記二次送信機へ送信する段階であって、前記第１の共同送信通知フレームは、送信機グループ識別子を保持し、前記送信機グループ識別子は、前記一次送信機が属する送信機グループを識別するために用いられる、段階
をさらに備える、または、
前記第２のデータ信号を送信する前記段階の前に、
第２の共同送信通知フレームを前記二次送信機へ送信する段階であって、前記第２の共同送信通知フレームは、送信機グループ識別子を保持し、前記送信機グループ識別子は、前記一次送信機が属する送信機グループを識別するために用いられる、段階
をさらに備える、
請求項５に記載の信号送信方法。
【請求項７】
チャネル状態情報に基づいて第１のデータ信号を生成するように構成された生成モジュールであって、前記チャネル状態情報は、一次送信機と受信機との間のチャネルの特性と、二次送信機と前記受信機との間のチャネルの特性とを表すために用いられる、生成モジュールと、
前記一次送信機により送信される第２のデータ信号を受信し、前記第２のデータ信号の位相を決定するように構成された受信モジュールと、
前記一次送信機により送信される第１の測定信号の位相と、前記一次送信機により送信される前記第２のデータ信号の前記位相とに基づいて前記第１のデータ信号を送信するように構成された送信モジュールと
を備える信号送信装置。
【請求項８】
前記受信モジュールはさらに、前記一次送信機により送信される前記第１の測定信号を受信し、前記第１の測定信号の前記位相を決定するように構成され、
前記送信モジュールはさらに、第２の測定信号を前記受信機へ送信するように構成され、
前記受信モジュールはさらに、前記第１の測定信号および前記第２の測定信号に基づいて前記受信機により決定される前記チャネル状態情報を受信するように構成される、
請求項７に記載の信号送信装置。
【請求項９】
トリガモジュールをさらに備え、
前記受信モジュールはさらに、前記一次送信機により送信される第１の共同送信通知フレームを受信するように構成され、前記第１の共同送信通知フレームは、送信機グループ識別子を保持し、前記送信機グループ識別子は、前記一次送信機が属する送信機グループを識別するために用いられ、
前記トリガモジュールは、前記第１の共同送信通知フレームにより保持される前記送信機グループ識別子が、格納されている送信機グループ識別子と同じである場合、前記第１の共同送信通知フレームの受信が終了した時点から第１の期間が経過した後に、前記一次送信機により送信される前記第１の測定信号を受信するよう前記受信モジュールをトリガするように構成される、
請求項８に記載の信号送信装置。
【請求項１０】
前記受信モジュールはさらに、前記一次送信機により送信される第２の共同送信通知フレームを受信するように構成され、前記第２の共同送信通知フレームは、送信機グループ識別子を保持し、前記送信機グループ識別子は、前記一次送信機が属する送信機グループを識別するために用いられ、
前記トリガモジュールはさらに、前記第２の共同送信通知フレームにより保持される前記送信機グループ識別子が、格納されている送信機グループ識別子と同じである場合、前記第２の共同送信通知フレームの受信が終了した時点から第２の期間が経過した後に、前記一次送信機により送信される前記第２のデータ信号を受信するよう前記受信モジュールをトリガするように構成される、
請求項９に記載の信号送信装置。
【請求項１１】
前記送信モジュールは、具体的には、
現在の信号サンプリング時間間隔を取得し、
前記第２のデータ信号の前記位相と前記第１の測定信号の前記位相との間の位相差を決定し、
前記信号サンプリング時間間隔および前記位相差に基づいて、時間間隔の数を決定し、
前記時間間隔の数に基づいて、前記第１のデータ信号を送信する
ように構成される、
請求項７から１０のいずれか一項に記載の信号送信装置。
【請求項１２】
第１の測定信号を二次送信機へ送信することにより、前記二次送信機が前記第１の測定信号に基づいて第２の測定信号を送信するように構成された送信モジュールと、
前記第１の測定信号および前記第２の測定信号に基づいて受信機により決定されるチャネル状態情報を受信し、前記チャネル状態情報に基づいて第２のデータ信号を生成するように構成された受信モジュールであって、前記チャネル状態情報は、一次送信機と前記受信機との間のチャネルの特性と、前記二次送信機と前記受信機との間のチャネルの特性とを表すために用いられる、受信モジュールと
を備え、
前記送信モジュールはさらに、前記第２のデータ信号を送信するように構成される、
信号送信装置。
【請求項１３】
前記送信モジュールはさらに、第１の共同送信通知フレームを前記二次送信機へ送信するように構成され、前記第１の共同送信通知フレームは、送信機グループ識別子を保持し、前記送信機グループ識別子は、前記一次送信機が属する送信機グループを識別するために用いられる、または、
前記送信モジュールはさらに、第２の共同送信通知フレームを前記二次送信機へ送信するように構成され、前記第２の共同送信通知フレームは、送信機グループ識別子を保持し、前記送信機グループ識別子は、前記一次送信機が属する送信機グループを識別するために用いられる、
請求項１２に記載の信号送信装置。
【請求項１４】
命令を備え、前記命令がコンピュータ上で実行された場合に請求項１から６のいずれか一項に記載の信号送信方法を前記コンピュータが実行することが可能になるコンピュータ可読記憶媒体。
【請求項１５】
請求項１から６のいずれか一項に記載の信号送信方法をコンピュータに実行させるプログラム。
【手続補正２】
【補正対象書類名】明細書
【補正対象項目名】全文
【補正方法】変更
【補正の内容】
【発明の詳細な説明】
【技術分野】
【０００１】
本願は、２０１８年６月２８日に中国特許庁に出願された、「信号送信方法および信号送信装置」と題する中国特許出願第２０１８１０６８７９１４．８号の優先権を主張する。当該出願は、参照により、その全体が本明細書に組み込まれている。
【０００２】
本願は、通信技術分野に関し、特に、信号送信方法および信号送信装置に関する。
【背景技術】
【０００３】
多入力多出力（Ｍｕｌｔｉｐｌｅ  Ｉｎｐｕｔ  Ｍｕｌｔｉｐｌｅ  Ｏｕｔｐｕｔ、ＭＩＭＯ）技術が徐々に、無線通信システムにおける主流の信号送信技術になってきている。ＭＩＭＯ技術は、複数のアンテナを含む送信機を意味する。信号送信中に、送信機は、信号を複数の受信機へ同時に、かつ、同じ周波数で送信し得る。加えて、信号干渉の問題を考慮すると、送信機の複数のアンテナのうち２つの隣接するアンテナの各々の間の距離は、特定の値よりも大きい必要がある。このことに基づいて、送信機のデバイスサイズが限定されるので、送信機に含まれるアンテナの数が限定される。言い換えれば、信号がＭＩＭＯ技術を用いることにより送信される場合、信号送信効率が、送信機のデバイスサイズにより限定される。このことに基づいて、信号送信効率をさらに改善するために、分散ＭＩＭＯ技術が提案されている。分散ＭＩＭＯ技術は、互いに空間的に独立した複数の送信機を調整して、信号を複数の受信機へ同時に、かつ、同じ周波数で送信することを指す。複数の送信機の各々は、独立の無線周波数リンクを有し、複数のアンテナを含み得る。このように、信号が送信される場合、より独立した送信機を配置することにより、データ送信効率がさらに改善され得て、各送信機のデバイスサイズを過度に大きく、または複雑にする必要がないことが保証され得る。
【０００４】
従来技術では、信号を送信するために分散ＭＩＭＯ技術が用いられる場合、互いに空間的に独立した複数の送信機の各々が、ローカル水晶発振器により生成されるクロックを用いることにより、信号を送信する。この場合、送信機の周波数および時間のいずれも同期せず、複数の送信機のうちの二次送信機が、一次送信機により送信される第１のデータ信号の位相を測定することにより送信予定の第２のデータ信号の位相を調整して、一次送信機と二次送信機との間の時間同期を実装し得る。
【０００５】
しかしながら、従来技術では、二次送信機が受信する第１のデータ信号の信号対ノイズ比が比較的低い場合、第１のデータ信号の測定された位相に比較的大きい測定誤差が存在する。この場合、第１のデータ信号の位相を用いることにより第２のデータ信号の位相が直接調整されるときは、第２のデータ信号の調整された位相にも比較的大きい誤差が存在し得る。このように、二次送信機と一次送信機との間の時間同期が実装され得ないのみならず、より大きい時間オフセットも生じることで、一次送信機と二次送信機との間の信号干渉につながり得る。
【発明の概要】
【０００６】
本願の実施形態は、複数の送信機が共同送信を実行した場合に非同期時間により生じる、送信機間に信号干渉が存在するという関連技術における問題を解決するために、信号送信方法および信号送信装置を提供する。
【０００７】
第１の態様によれば、信号送信方法が提供される。
方法は、
チャネル状態情報に基づいて第１のデータ信号を生成する段階であって、チャネル状態情報は、一次送信機と受信機との間のチャネルの特性と、二次送信機と受信機との間のチャネルの特性とを表すために用いられる、段階と、
一次送信機により送信される第２のデータ信号を受信し、第２のデータ信号の位相を決定する段階と、
一次送信機により送信される第１の測定信号の位相と、一次送信機により送信される第２のデータ信号の位相とに基づいて、第１のデータ信号を送信する段階と
を備える。
【０００８】
本願の本実施形態において提供される信号送信方法によれば、第２のデータ信号の検出遅延と第１の測定信号の検出遅延との間の遅延差が、一次送信機により送信される第２のデータ信号の位相と、一次送信機により送信される第１の測定信号の位相とを用いることにより、チャネル測定中に取得され得る。このことに基づいて、一次送信機および二次送信機による共同送信のプロセスにおいて生成される検出遅延が、これら２つの信号の位相に基づいて第１のデータ信号を送信することにより解消され得る。現在送信予定のデータ信号の位相が、一次送信機により送信されるデータ信号の位相に基づいて直接調整される関連技術と比較して、本願は、一次送信機により送信される第２のデータ信号の位相と、チャネル測定中に送信される第１のデータ信号の位相とに基づいて、二次送信機により送信される信号を調整することにより、測定誤差に対してより高い抵抗を有する。
【０００９】
チャネル状態情報は、一次送信機と受信機との間のチャネルの特性と、二次送信機と受信機との間のチャネルの特性とを表すために用いられるチャネル行列であり得るか、もしくは、一次送信機と受信機との間のチャネルの特性と、二次送信機と受信機との間のチャネルの特性とを表すために用いられるアレイであり得るか、または、別の表現形式のものであり得る。
【００１０】
任意選択的に、チャネル状態情報に基づいて第１のデータ信号を生成する段階の前に、方法は、
一次送信機により送信される第１の測定信号を受信し、第１の測定信号の位相を決定し、第２の測定信号を受信機へ送信する段階と、
第１の測定信号および第２の測定信号に基づいて、受信機により決定されるチャネル状態情報を受信する段階と
をさらに備える。
【００１１】
任意選択的に、一次送信機により送信される第１の測定信号を受信する段階の前に、方法は、
一次送信機により送信される第１の共同送信通知フレームを受信する段階であって、第１の共同送信通知フレームは、送信機グループ識別子を保持し、送信機グループ識別子は、一次送信機が属する送信機グループを識別するために用いられる、段階と、
第１の共同送信通知フレームにより保持される送信機グループ識別子が、格納されている送信機グループ識別子と同じである場合、第１の共同送信通知フレームの受信が終了した時点から第１の期間が経過した後に、一次送信機により送信される第１の測定信号を受信する段階を実行する段階と
をさらに備える。
【００１２】
本願の本実施形態において、一次送信機は、第１の共同送信通知フレームを二次送信機へ送信することにより、第１の共同送信通知フレームの受信後に第１の測定信号の受信を準備し、第１の測定信号のフレーム本体の到達が検出された時点で、第２の測定信号を送信することによりチャネル測定を一次送信機と共に完了するよう二次送信機に命令し得る。
【００１３】
任意選択的に、一次送信機により送信される第２のデータ信号を受信する段階の前に、方法は、
一次送信機により送信される第２の共同送信通知フレームを受信する段階であって、第２の共同送信通知フレームは、送信機グループ識別子を保持し、送信機グループ識別子は、一次送信機が属する送信機グループを識別するために用いられる、段階と、
第２の共同送信通知フレームにより保持される送信機グループ識別子が、格納されている送信機グループ識別子と同じである場合、第２の共同送信通知フレームの受信が終了した時点から第２の期間が経過した後に、一次送信機により送信される第２のデータ信号を受信する段階を実行する段階と
をさらに備える。
【００１４】
本願の本実施形態において、データ信号を送信する段階の前に、一次送信機は、第２の共同送信通知フレームを二次送信機へ送信して、一次送信機と共にデータ信号を送信することを準備するよう二次送信機に命令する。
【００１５】
任意選択的に、一次送信機により送信される第１の測定信号の位相と、一次送信機により送信される第２のデータ信号の位相とに基づいて、第１のデータ信号を送信する段階は、
現在の信号サンプリング時間間隔を取得する段階と、
第２のデータ信号の位相と第１の測定信号の位相との間の位相差を決定する段階と、
信号サンプリング時間間隔および位相差に基づいて、時間間隔の数を決定する段階と、
時間間隔の数に基づいて、第１のデータ信号を送信する段階と
を有する。
【００１６】
本願の本実施形態において、チャネル状態情報が第１の測定信号の検出遅延を含むので、一次送信機によりチャネル状態情報に基づいて生成される第２のデータ信号と、二次送信機によりチャネル状態情報に基づいて生成される第１のデータ信号との両方が、第１の測定信号の検出遅延を含む。この場合、二次送信機が、一次送信機により送信される第２のデータ信号を受信したときは、第２のデータ信号の検出遅延と第１の測定信号の検出遅延との間の遅延差を取得するために、第２のデータ信号の位相および第１の測定信号の位相のみを比較する必要がある。第１の測定信号の検出遅延は、第１のデータ信号および第２のデータ信号に既に含まれているので、第１のデータ信号が送信された場合、第１のデータ信号および第２のデータ信号の検出遅延の影響を解消するために、第２のデータ信号の検出遅延と第１の測定信号の検出遅延との間の遅延差のみが補償される必要がある。このように、第１のデータ信号と第２のデータ信号との間の時間同期が実装される。
【００１７】
第２の態様によれば、信号送信方法が提供される。
方法は、
第１の測定信号を二次送信機へ送信することにより、二次送信機が第１の測定信号に基づいて第２の測定信号を送信する段階と、
第１の測定信号および第２の測定信号に基づいて受信機により決定されるチャネル状態情報を受信し、チャネル状態情報に基づいて第２のデータ信号を生成する段階であって、チャネル状態情報は、一次送信機と受信機との間のチャネルの特性と、二次送信機と受信機との間のチャネルの特性とを表すために用いられる、段階と、
第２のデータ信号を送信する段階と
を備える。
【００１８】
本願の本実施形態において、データ信号を送信する段階の前に、一次送信機は、第１の測定信号を送信して、二次送信機と共にチャネル測定を完了し得る。受信機により送信された受信済みのチャネル状態情報が第１の測定信号の検出遅延を含んでいるので、一次送信機によりチャネル状態情報に基づいて生成される第２のデータ信号は、第１の測定信号の検出遅延を既に含んでいる。この場合、一次送信機が第２のデータ信号を送信した後に、二次送信機は、共同送信のプロセスにおける一次送信機および二次送信機の検出遅延を効果的に解消するために、第２のデータ信号と第１の測定信号との間の位相差に基づいて、第１のデータ信号に含まれない検出遅延を補償するだけでよい。このように、一次送信機と二次送信機との間で信号を送信する時間が同期される。
【００１９】
任意選択的に、
第１の測定信号を二次送信機へ送信する段階の前に、方法は、
第１の共同送信通知フレームを二次送信機へ送信する段階であって、第１の共同送信通知フレームは、送信機グループ識別子を保持し、送信機グループ識別子は、一次送信機が属する送信機グループを識別するために用いられる、段階
をさらに備える。
【００２０】
本願の本実施形態において、一次送信機は、送信機グループ識別子を保持する第１の共同送信通知フレームを送信することにより、一次送信機と共にチャネル測定を実行する二次送信機を選択し、第１の測定信号の受信を準備するよう二次送信機に命令し得る。
【００２１】
任意選択的に、
第２のデータ信号を送信する段階の前に、方法は、
第２の共同送信通知フレームを二次送信機へ送信する段階であって、第２の共同送信通知フレームは、送信機グループ識別子を保持し、送信機グループ識別子は、一次送信機が属する送信機グループを識別するために用いられる、段階
をさらに備える。
【００２２】
本願の本実施形態において、一次送信機は、送信機グループ識別子を保持する第２の共同送信通知フレームを送信することにより、データ信号を一次送信機と共同送信する二次送信機を選択し、一次送信機により送信されるデータ信号の受信を準備するよう二次送信機に命令し得る。このように、一次送信機との共同送信は、一次送信機により送信されるデータ信号が受信された場合に実装される。
【００２３】
第３の態様によれば、信号送信方法が提供される。
方法は、
共同送信通知フレームを一次送信機が送信し、第１の期間が経過した後に第１のデータ信号を送信する段階であって、共同送信通知フレームは、一次送信機が属する送信機グループの送信機グループ識別子を保持する、段階と、
二次送信機が共同送信通知フレームを受信し、共同送信通知フレームが、二次送信機が属する送信機グループの送信機グループ識別子を保持する場合、第２の期間が経過した後に、二次送信機が一次送信機と同期的に第２のデータ信号を送信する段階と
を備える。
【００２４】
本願の本実施形態において、一次送信機は、共同送信通知フレームを送信することにより、二次送信機を選択し得る。一次送信機は、共同送信通知フレームの送信を完了した後、特定の期間が経過した後に、データ信号を送信し得る。二次送信機も、二次送信機が属する送信機グループの送信機グループ識別子を保持する共同送信通知フレームを二次送信機が受信した時点から特定の期間が経過した後に、第２のデータ信号を送信する。このように、一次送信機および二次送信機の共同送信時間が揃えられる。
【００２５】
第４の態様によれば、信号送信装置が提供される。信号送信装置は、第１の態様、第２の態様または第３の態様による信号送信方法を実装する機能を有する。信号送信装置は、少なくとも１つのモジュールを含む。少なくとも１つのモジュールは、第１の態様、第２の態様または第３の態様において提供される信号送信方法を実装するように構成される。
【００２６】
第５の態様によれば、信号送信装置が提供される。信号送信装置の構造は、プロセッサ、メモリおよび送受信機を含む。メモリは、第１の態様、第２の態様または第３の態様による信号送信方法の実行において信号送信装置をサポートするためのプログラムを格納し、第１の態様、第２の態様または第３の態様において提供される信号送信方法を実装するために用いられる関連データを格納するように構成される。プロセッサは、メモリに格納されたプログラムを実行するように構成される。送受信機は、信号送信動作および信号受信動作を実行するように構成される。信号送信装置は、通信バスをさらに備え得る。通信バスは、プロセッサとメモリと送受信機との間の接続を確立するように構成される。
【００２７】
第６の態様によれば、コンピュータ可読記憶媒体が提供される。コンピュータ可読記憶媒体は、命令を格納する。命令がコンピュータ上で実行された場合、コンピュータは、第１の態様、第２の態様または第３の態様による信号送信方法を実行する。
【００２８】
第７の態様によれば、命令を含むコンピュータプログラム製品が提供される。プログラム製品がコンピュータ上で実行された場合、コンピュータは、第１の態様、第２の態様または第３の態様による信号送信方法を実行することが可能になる。
【００２９】
第４の態様、第５の態様、第６の態様および第７の態様において得られる技術的効果は、第１の態様、第２の態様または第３の態様における対応する技術的手段を用いることにより得られる技術的効果と同様である。ここでは詳細を再度説明しない。
【００３０】
本願において提供される技術的解決手段によりもたらされる有益な効果は少なくとも、第１のデータ信号がチャネル状態情報に基づいて生成され、一次送信機により送信される第２のデータ信号が受信され、第２のデータ信号の位相が決定され、第１のデータ信号が、一次送信機により送信される第１の測定信号の位相と、一次送信機により送信される第２のデータ信号の位相とに基づいて送信されることを含む。チャネル状態情報は、一次送信機と受信機との間のチャネルの特性と、二次送信機と受信機との間のチャネルの特性とを表すために用いられ得る。本願の実施形態において、第２のデータ信号の検出遅延と第１の測定信号の検出遅延との間の遅延差が、一次送信機により送信される第２のデータ信号の位相と、一次送信機により送信される第１の測定信号の位相とを用いることにより、チャネル測定中に取得され得る。このことに基づいて、一次送信機および二次送信機による共同送信のプロセスにおいて生成される検出遅延が、これら２つの信号の位相に基づいて第１のデータ信号を送信することにより解消され得る。現在送信予定のデータ信号の位相が、一次送信機により送信されるデータ信号の位相に基づいて直接調整される関連技術と比較して、本願は、一次送信機により送信される第２のデータ信号の位相と、チャネル測定中に送信される第１のデータ信号の位相とに基づいて、二次送信機により送信される信号を調整することにより、測定誤差に対してより高い抵抗を有する。
【図面の簡単な説明】
【００３１】
【図１】本願の実施形態による信号送信方法が適用可能な実装環境の概略図である。
【００３２】
【図２】本願の実施形態によるネットワークデバイスの概略構造図である。
【００３３】
【図３】本願の実施形態による信号送信方法のフローチャートである。
【００３４】
【図４】本願の実施形態による別の信号送信方法のフローチャートである。
【００３５】
【図５】本願の実施形態による信号送信装置の概略構造図である。
【００３６】
【図６】本願の実施形態による別の信号送信装置の概略構造図である。
【発明を実施するための形態】
【００３７】
本願の目的、技術的解決手段および利点をより明確にするために、以下では、添付図面を参照して、本願の実装をさらに詳細に説明する。
【００３８】
本願の実施形態において提供される信号送信方法を詳細に説明する前に、まず、本願の実施形態における実装環境を説明する。
【００３９】
図１は、本願の実施形態による信号送信方法が適用可能な実装環境の概略図である。図１に示されるように、実装環境は、一次送信機１０１、二次送信機１０２および受信機１０３を含み得る。一次送信機１０１および二次送信機１０２は、無線ネットワークを用いることにより、互いに通信し得る。一次送信機１０１および受信機１０３は、無線ネットワークを用いることにより、互いに通信し得る。二次送信機１０２および受信機１０３も、無線ネットワークを用いることにより、互いに通信し得る。
【００４０】
任意選択的に、本願の本実施形態において提供される信号送信方法は、無線ローカルエリアネットワーク（Ｗｉｒｅｌｅｓｓ  Ｌｏｃａｌ  Ａｒｅａ  Ｎｅｔｗｏｒｋ、ＷＬＡＮ）に適用され得る。ＷＬＡＮは、アクセスポイント局（Ａｃｃｅｓｓ  Ｐｏｉｎｔ、ＡＰ）および非アクセスポイント局（Ｎｏｎｅ  Ａｃｃｅｓｓ  Ｐｏｉｎｔ  Ｓｔａｔｉｏｎ、Ｎｏｎ−ＡＰ  ＳＴＡ）を含む。説明を容易にするために、以下では、アクセスポイント局を略してＡＰと称し、非アクセスポイント局を略してＳＴＡと称する。
【００４１】
具体的には、本願の本実施形態において、図１に示される一次送信機１０１はＷＬＡＮにおけるＡＰであり得て、二次送信機１０２もＷＬＡＮにおけるＡＰであり得て、一次送信機として機能するＡＰおよび二次送信機として機能するＡＰは、互いに関連付けられている。すなわち、一次送信機１０１および二次送信機１０２は、互いに関連付けられている。概して、ＡＰは、無線アクセスポイント、ホットスポット等とも称され、有線ネットワークにアクセスするために携帯電話加入者により用いられるアクセスポイントであり、主に自宅またはビル内もしくは大学の構内に配置され、典型的には数十〜数百メートルのカバレッジ半径を有する。当然ながら、ＡＰは、屋外にも配置され得る。ＡＰは、有線ネットワークおよび無線ネットワークを接続するブリッジと均等である。ＡＰの主な機能は、様々なＳＴＡを接続し、次に、無線ネットワークを有線ネットワークに接続することである。具体的には、ＡＰは、ワイヤレスフィディリティ（Ｗｉｒｅｌｅｓｓ  Ｆｉｄｅｌｉｔｙ、Ｗｉ−Ｆｉ）チップを有するネットワークデバイス、例えば、ＡＰ機能またはサービスを提供する統合ルーティングおよびスイッチングアクセスデバイスであり得る。任意選択的に、ＡＰは、８０２．１１ａｘプロトコルをサポートするデバイスであり得る。さらに、任意選択的に、ＡＰは、８０２．１１ａｃ、８０２．１１ｎ、８０２．１１ｇ、８０２．１１ｂおよび８０２．１１ａなどの複数のＷＬＡＮ規格をサポートするデバイスであり得る。
【００４２】
図１に示される受信機１０３は、ＷＬＡＮにおけるＳＴＡであり得る。ＳＴＡは、無線通信チップ、無線センサまたは無線通信端末、例えば、Ｗｉ−Ｆｉ通信機能をサポートする携帯電話、Ｗｉ−Ｆｉ通信機能をサポートするタブレットコンピュータ、Ｗｉ−Ｆｉ通信機能をサポートするセットトップボックス、Ｗｉ−Ｆｉ通信機能をサポートするスマートテレビ、Ｗｉ−Ｆｉ通信機能をサポートするスマートウェアラブルデバイス、Ｗｉ−Ｆｉ通信機能をサポートする車載通信デバイス、および、Ｗｉ−Ｆｉ通信機能をサポートするコンピュータであり得る。任意選択的に、局は、８０２．１１ａｘ規格をサポートし得る。さらに、任意選択的に、局は、８０２．１１ａｃ、８０２．１１ｎ、８０２．１１ｇ、８０２．１１ｂおよび８０２．１１ａなどの複数のＷＬＡＮ規格をサポートする。
【００４３】
任意選択的に、本願の本実施形態において、一次送信機１０１および二次送信機１０２の両方が複数のアンテナを含み得て、複数の一次送信機１０１が存在し得て、各一次送信機１０１は、少なくとも１つの二次送信機１０２に対応し得る。加えて、各一次送信機１０１および少なくとも１つの対応する二次送信機１０２は、信号を受信機１０３へ送信するために送信機グループを形成する。任意選択的に、複数の受信機１０３と、各送信機グループに含まれる一次送信機１０１および少なくとも１つの二次送信機１０２とが代替的に存在し得て、各一次送信機１０１および各二次送信機１０２に含まれる複数のアンテナを用いることにより、信号を複数の受信機１０３へ同じ時点で、かつ、同じ周波数で共同送信し得る。
【００４４】
図２は、本発明の実施形態によるネットワークデバイスの概略構造図である。例えば、図１における一次送信機１０１、二次送信機１０２および受信機１０３は全て、図２に示されるネットワークデバイスを用いることにより実装され得る。図２を参照すると、ネットワークデバイスは、プロセッサ２０１、通信バス２０２、メモリ２０３、無線周波数回路２０４、少なくとも１つのアンテナ２０５およびベースバンド回路２０６を含む。
【００４５】
プロセッサ２０１は、汎用中央処理装置（Ｃｅｎｔｒａｌ  Ｐｒｏｃｅｓｓｉｎｇ  Ｕｎｉｔ、ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、または、本願の解決手段におけるプログラムの実行を制御するように構成された１または複数の集積回路であり得る。
【００４６】
通信バス２０２は、前述のコンポーネント間で情報を送信するためのチャネルを含み得る。
【００４７】
メモリ２０３は、リードオンリメモリ（ｒｅａｄ−ｏｎｌｙ  ｍｅｍｏｒｙ、ＲＯＭ）もしくは静的な情報および命令を格納できる別のタイプの静的記憶デバイス、もしくはランダムアクセスメモリ（ｒａｎｄｏｍ  ａｃｃｅｓｓ  ｍｅｍｏｒｙ、ＲＡＭ）、もしくは情報および命令を格納できる別のタイプの動的記憶デバイスであり得るか、または、電気的消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）、もしくは別のコンパクトディスクストレージ、光ディスクストレージ（圧縮光ディスク、レーザディスク、光ディスク、デジタル多用途ディスク、Ｂｌｕ−ｒａｙ（登録商標）ディスク等を含む）、磁気ディスク記憶媒体もしくは別の磁気記憶デバイス、もしくは、命令もしくはデータ構造の形式の予期されるプログラムコードを保持もしくは格納でき、コンピュータがアクセスできる任意の他の媒体であり得るが、これらに限定されない。メモリ２０３は、独立して存在し、通信バス２０２を用いることによりプロセッサ２０１に接続され得る。あるいは、メモリ２０３およびプロセッサ２０１は、統合され得る。
【００４８】
無線周波数回路２０４および少なくとも１つのアンテナ２０５は、無線信号の受信および送信を実装するために協働するように構成される。
【００４９】
ベースバンド回路２０６は、受信した無線信号または送信予定の無線信号を処理するように構成される。
【００５０】
実施形態としての特定の実装において、プロセッサ２０１は、１または複数のＣＰＵを含み得る。
【００５１】
実施形態としての特定の実装において、ネットワークデバイスは、出力デバイス（不図示）および入力デバイス（不図示）をさらに含み得る。出力デバイスは、プロセッサ２０１と通信し、情報を複数の方式で表示し得る。例えば、出力デバイスは、液晶ディスプレイ（ｌｉｑｕｉｄ  ｃｒｙｓｔａｌ  ｄｉｓｐｌａｙ、ＬＣＤ）発光ダイオード（ｌｉｇｈｔ  ｅｍｉｔｔｉｎｇ  ｄｉｏｄｅ、ＬＥＤ）ディスプレイデバイス  陰極線管（ｃａｔｈｏｄｅ  ｒａｙ  ｔｕｂｅ、ＣＲＴ）ディスプレイデバイス、プロジェクタ（ｐｒｏｊｅｃｔｏｒ）等であり得る。入力デバイスは、プロセッサ２０１と通信し、ユーザからの入力を複数の方式で受信し得る。例えば、入力デバイスは、マウス、キーボード、タッチスクリーンデバイスまたはセンシングデバイスであり得る。
【００５２】
メモリ２０３は、本願の解決手段を実行するために用いられるプログラムコードを格納するように構成される。実行は、プロセッサ２０１により制御される。プロセッサ２０１は、メモリ２０３に格納されたプログラムコード（不図示）を実行するように構成される。プログラムコードは、１または複数のソフトウェアモジュールを含み得る。図１に示される一次送信機または二次送信機は、プロセッサ２０１と、メモリ２０３内のプログラムコードにおける１または複数のソフトウェアモジュールとを用いることにより信号を送信し得る。
【００５３】
本願の本実施形態の実装環境についての前述の説明に基づいて、複数の一次送信機が存在し得て、各一次送信機が少なくとも１つの二次送信機に対応し、各一次送信機および少なくとも１つの対応する二次送信機が信号を複数の受信機へ共同送信するために送信機グループを形成し得ることが分かり得る。以下では、１つの一次送信機が１つの二次送信機に対応する例を用いて、本願の本実施形態において提供される信号送信方法を詳細に説明する。１つの一次送信機が複数の二次送信機に対応する場合、複数の二次送信機の各々が、以下の実施形態において説明される二次送信機の関連動作に基づいて、処理を実行し得る。
【００５４】
図３は、本願の実施形態による信号送信方法のフローチャートである。方法は、図１に示される実装環境に適用され得る。図３を参照すると、方法は、以下の段階を含む。
【００５５】
３０１：一次送信機が第１の測定信号を送信する。
【００５６】
本願の本実施形態において、一次送信機は、データ信号を送信する前に、まず、測定信号を送信することにより、一次送信機と受信機との間のチャネルを測定し得る。第１の測定信号は、チャネル測定フレームであり得る。チャネル測定フレームは、一次送信機により二次送信機と予めネゴシエートされ得る。
【００５７】
任意選択的に、本願の本実施形態において、一次送信機および二次送信機がデータを受信機へ共同送信する必要があるので、二次送信機は、データ信号を送信する前に、測定信号を送信することにより、二次送信機と受信機との間のチャネルの測定もし得る。二次送信機から送信される測定信号は、チャネル測定フレームでもあり得る。このことに基づいて、その後、二次送信機のチャネル測定フレームと一次送信機のチャネル測定フレームとが揃えられて送信され得ることを保証するために、一次送信機はさらに、第１の測定信号を送信する前に、第１の共同送信通知フレームを二次送信機および受信機へ送信し得る。第１の共同送信通知フレームは、送信機グループ識別子を保持する。送信機グループ識別子は、一次送信機が属する送信機グループを識別するために用いられ得る。第１の共同送信通知フレームにおいて保持される送信機グループ識別子を用いることにより、一次送信機は、第１の測定信号を受信し、一次送信機と共にチャネル測定を実行するよう、一次送信機と同じ送信機グループに属する二次送信機に命令し得る。
【００５８】
第１の共同送信通知フレームは、送信機グループ識別子を保持するのみならず、一次送信機の送信予定のデータを受信する受信機のデバイス識別子も保持することに留意すべきである。第１の共同送信通知フレームにおいて保持される受信機のデバイス識別子を用いることにより、一次送信機は、二次送信機により送信される第１の測定信号および第２の測定信号を受信することにより、第１の測定信号および第２の測定信号に基づいて、一次送信機と受信機との間のチャネルの特性を表すために用いられるチャネル状態情報、および、二次送信機と受信機との間のチャネルの特性を決定するよう、デバイス識別子により識別される受信機に命令し得る。
【００５９】
一次送信機は、第１の共同送信通知フレームを送信した後で、送信が完了した時点から固定期間にわたって待機した後に、第１の測定信号を送信し得る。固定期間は、短フレーム間隔（Ｓｈｏｒｔ  Ｉｎｔｅｒ  Ｆｒａｍｅ  Ｓｐａｃｅ、ＳＩＦＳ）であり得るか、または、固定期間は、予め設定された期間、例えば、１０マイクロ秒または１５マイクロ秒であり得る。
【００６０】
３０２：二次送信機が、第１の測定信号を受信し、第１の測定信号の位相を決定し、第２の測定信号を送信する。
【００６１】
本願の本実施形態において、二次送信機は、エアインタフェースを介して、一次送信機により送信される第１の測定信号をリッスンし得る。具体的には、第１の測定信号がチャネル測定フレームである場合において、二次送信機がチャネル測定フレームの物理フレーム同期ヘッダを受信したときは、二次送信機は、第１の測定信号の位相を測定および格納し得る。
【００６２】
一次送信機により送信される第１の測定信号を二次送信機がエアインタフェースを介してリッスンする場合、第１の測定信号の物理フレーム同期ヘッダの時点と第１の測定信号の物理フレーム同期ヘッダの到達の実際の時点との間のランダム検出遅延が検出されている、と二次送信機が決定することに留意すべきである。検出遅延により、二次送信機により受信される第１の測定信号と一次送信機により送信される第１の測定信号との間の特定の位相オフセットがもたらされる。このことに基づいて、二次送信機によりチャネル測定フレームの物理フレーム同期ヘッダが検出された場合、第１の測定信号の位相が測定および記録され得る。第１の測定信号の測定された位相は、実際には、検出遅延内の第１の測定信号の位相オフセットを表し、一次送信機による第１の測定信号の送信から二次送信機による第１の測定信号の受信までの検出遅延を表すためにも用いられ得る。
【００６３】
二次送信機は、第１の測定信号を受信した後に、第２の測定信号を受信機へ送信し得る。第２の測定信号は、チャネル測定フレームでもあり得る。第２の測定信号は、二次送信機と受信機との間のチャネルを測定するために用いられ得る。二次送信機は、第１の測定信号の物理フレーム同期ヘッダを受信した場合、第１の測定信号の物理フレーム同期ヘッダの時点に基づいて、第１の測定信号が受信されたフレーム本体の時点を決定し、次に、第１の測定信号が受信されたフレーム本体の時点で第２の測定信号を送信し得る。第１の測定信号の同期フレームヘッダが受信された時点と第１の測定信号が受信されたフレーム本体の時点との間の期間内に、二次送信機は、変換結果の受信および送信を実行し得る。加えて、第１の測定信号を受信するためのフレーム本体の決定した時点に達した場合、二次送信機により送信される第２の測定信号は、チャネル測定フレームの、フレームヘッダを除くフレーム本体であり得る。
【００６４】
例えば、一次送信機が第１の測定信号を時点
【数１】
2021500774.tif 000034
で送信し、二次送信機が第１の測定信号の物理フレーム同期ヘッダを時点
【数２】
2021500774.tif 000035
で受信する、と仮定すると、特定の位相オフセットが
【数３】
2021500774.tif 000036
内で第１の測定信号に生じる。このことに基づいて、二次送信機が第１の測定信号の物理フレーム同期ヘッダを受信した場合、第１の測定信号の位相は、記録され得る。この時点で、第１の測定信号の位相は、
【数４】
2021500774.tif 000037
内で第１の測定信号の位相オフセットを表すために用いられ得る、すなわち、検出遅延
【数５】
2021500774.tif 000038
を表すために用いられ得る。二次送信機は、時点
【数６】
2021500774.tif 000039
に基づいて、第１の測定信号のフレーム本体の到達の時点
【数７】
2021500774.tif 000040
を決定し、第１の測定信号のフレーム本体の到達の時点
【数８】
2021500774.tif 000041
で、フレーム本体を含む第２の測定信号を送信し得る。
【数９】
2021500774.tif 000042
内で、二次送信機は、変換結果の受信および送信を実行し得る。
【００６５】
段階３０１における説明に基づいて、一次送信機はさらに、第１の測定信号を送信する前に、第１の測定信号を受信するよう二次送信機に通知するために用いられる第１の共同送信通知フレームを二次送信機へ送信し得ることが分かり得ることに留意すべきである。このことに基づいて、第１の測定信号を受信する前に、二次送信機は、第１の共同送信通知フレームを受信した場合、第１の共同送信通知フレームにおいて保持送信機グループ識別子が、二次送信機が属する送信機グループ識別子であるかどうかを検出することにより、第１の共同送信通知フレームが二次送信機に通知するために用いられているかどうかを検出し得る。二次送信機は、二次送信機が属する送信機グループ識別子を格納し得る。
【００６６】
具体的には、二次送信機は、第１の共同送信通知フレームにおいて保持される送信機グループ識別子が、二次送信機に格納されている送信機グループ識別子と同じであるかどうかを比較し得て、当該送信機グループ識別子が、二次送信機に格納されている送信機グループ識別子と同じである場合、これは、チャネル測定が、二次送信機が属する送信機グループにおける一次送信機により実行されることを示す。従って、二次送信機は、第２の測定信号を生成し、一次送信機により送信される第１の測定信号の検出を準備し得る。これにより、第１の測定信号の物理フレーム同期ヘッダが検出された場合、第１の測定信号の物理フレーム同期ヘッダが到達した時点に基づいて、第１の測定信号のフレーム本体が到達した時点が決定され、さらに、第１の測定信号のフレーム本体が到達したと決定した時点で第２の測定信号が送信されて、一次送信機でのチャネル測定が完了する。
【００６７】
３０３：受信機が、第１の測定信号および第２の測定信号を受信し、第１の測定信号および第２の測定信号に基づいてチャネル状態情報を決定し、チャネル状態情報を一次送信機および二次送信機へ別個に送信する。
【００６８】
受信機は、一次送信機により送信される第１の測定信号と、二次送信機により送信される第２の測定信号とを受信し得る。次に、受信機は、第１の測定信号および第２の測定信号に基づいて、受信機と一次送信機との間のチャネルのステータスパラメータと、受信機と二次送信機との間のチャネルのステータスパラメータとを決定し得る。次に、受信機は、これら２つのチャネルの決定したステータスパラメータを組み合わせてチャネル状態情報を取得し、チャネル状態情報を一次送信機および二次送信機へ別個に送信し得る。チャネル状態情報は、一次送信機と受信機との間のチャネルのステータスパラメータと、二次送信機と受信機との間のチャネルのステータスパラメータとを含む。従って、チャネル状態情報は、一次送信機と受信機との間のチャネルの特性と、二次送信機と受信機との間のチャネルの特性とを表すために用いられ得る。
【００６９】
具体的には、本願の本実施形態において、受信機は、これら２つのチャネルのステータスパラメータを組み合わせてチャネル行列を取得し得る。すなわち、チャネル状態情報は、チャネル行列により表され得る。あるいは、受信機は、これら２つのチャネルのステータスパラメータを１つのアレイへと組み合わせ得る。この場合、チャネル状態情報は、アレイにより表され得る。当然ながら、チャネル状態情報は、代替的に、別の形式で表され得る。このことは、本願の本実施形態において具体的に限定されない。
【００７０】
任意選択的に、３０１における前述の説明に基づいて、一次送信機は、第１の測定信号を送信する前に、さらに、第１の共同送信通知フレームを送信して、二次送信機および受信機に通知し得ることが分かり得る。このことに基づいて、第１の測定信号を受信する前に、受信機は、第１の共同送信通知フレームを受信した場合、第１の共同送信通知フレームが受信機のデバイス識別子を保持しているかどうかを検出し得る。第１の共同送信通知フレームが受信機のデバイス識別子を保持している場合、これは、その後、チャネル測定が実行される必要があることを示す。この時点で、受信機は、測定信号の受信を準備し得る。一次送信機は、第１の共同送信通知フレームが送信された時点から開始する固定期間の後に、第１の測定信号を送信する。加えて、二次送信機は、第１の測定信号の物理フレーム同期ヘッダを検出した後直ちに、第１の測定信号のフレーム本体の到達の時点で、第２の測定信号も送信する。従って、受信機は、第１の共同送信通知フレームを受信した後に、その後到達する測定信号の受信を準備することにより、その後到達する測定信号に基づいて、受信機と測定信号を送信するデバイスとの間のチャネルのステータスパラメータを決定し得る。
【００７１】
３０４：一次送信機が、チャネル状態情報に基づいて第２のデータ信号を生成し、第２のデータ信号を送信する。
【００７２】
一次送信機は、受信機により送信されるチャネル状態情報を受信し、チャネル状態情報に基づいてプリコーディング行列を決定し得る。次に、一次送信機は、決定したプリコーディング行列に基づいて送信予定のデータを符号化して第２のデータ信号を取得し、第２のデータ信号を二次送信機および受信機へ送信し得る。
【００７３】
具体的には、ゼロフォーシングプリコーディングが例として用いられる。チャネル状態情報がチャネル行列
【数１０】
2021500774.tif 000043
であると仮定すると、一次送信機は、チャネル行列に基づいて、プリコーディング行列
【数１１】
2021500774.tif 000044
が得られている、と判断し得る。次に、一次送信機は、プリコーディング行列に基づいて送信予定のデータ
【数１２】
2021500774.tif 000045
を符号化して、第２のデータ信号
【数１３】
2021500774.tif 000046
を生成し得る。
【００７４】
任意選択的に、本願の本実施形態において、一次送信機は、第２のデータ信号を送信する前に、さらに、第２の共同送信通知フレームを二次送信機および受信機へ送信し得る。第２の共同送信通知フレームは、一次送信機が属する送信機グループの送信機グループ識別子と、受信機のデバイス識別子とを保持し得る。送信機グループ識別子は、一次送信機により送信される第２のデータ信号を受信した場合、データ信号を一次送信機と共同送信するよう、一次送信機と同じ送信機グループに属する二次送信機に命令するために用いられ得る。受信機のデバイス識別子は、第２の共同送信通知フレームの後に到達するデータ信号を受信するよう受信機に命令するために用いられ得る。
【００７５】
３０５：二次送信機が、チャネル状態情報に基づいて第１のデータ信号を生成する。
【００７６】
二次送信機が、受信機により送信されるチャネル状態情報を受信し、チャネル状態情報に基づいてプリコーディング行列を決定し得る。次に、二次送信機は、決定したプリコーディング行列に基づいて送信予定のデータを符号化して第１のデータ信号を取得し、第１のデータ信号を受信機へ送信し得る。
【００７７】
具体的には、ゼロフォーシングプリコーディングが例として用いられる。チャネル状態情報がチャネル行列
【数１４】
2021500774.tif 000047
であると仮定すると、二次送信機は、チャネル行列に基づいて、プリコーディング行列
【数１５】
2021500774.tif 000048
が得られている、と判断し得る。次に、二次送信機は、プリコーディング行列に基づいて送信予定のデータ
【数１６】
2021500774.tif 000049
を符号化して、第１のデータ信号
【数１７】
2021500774.tif 000050
を生成し得る。
【００７８】
チャネル状態情報は、受信機により、第１の測定信号および第２の測定信号に基づいて決定される、すなわち、チャネル状態情報は、二次送信機が第１の測定信号を検出した場合に生成される検出遅延により生じる影響を含むことに留意すべきである。このことに基づいて、一次送信機および二次送信機は、チャネル状態情報に基づいて、送信予定のデータを別個に符号化し、生成された第１のデータ信号および第２のデータ信号は、実際には、第１の測定信号の検出遅延により生じる影響も含む。
【００７９】
３０６：二次送信機が、第２のデータ信号を受信し、第２のデータ信号の位相を決定する。
【００８０】
本願の本実施形態において、二次送信機は、エアインタフェースを介して、一次送信機により送信される第２のデータ信号をリッスンし得る。具体的には、第２のデータ信号がデータフレームである場合において、データフレームのフレームヘッダが二次送信機によりエアインタフェースを介して検出されたときは、第２のデータ信号の位相は、測定され得る。
【００８１】
二次送信機が、エアインタフェースを介して、一次送信機により送信される第２のデータ信号の物理フレーム同期ヘッダをリッスンする場合、ランダム検出遅延も存在することに留意すべきである。検出遅延により、第２のデータ信号の特定の位相オフセットも生じる。加えて、検出遅延は、いくつかのランダム誤差を含むので、第１の測定信号の検出遅延と同じにはなり得ない。すなわち、第２のデータ信号の検出遅延により生じる第２のデータ信号の位相オフセットは、第１の測定信号の検出遅延により生じる第１の測定信号の位相オフセットと同じにはなり得ない。二次送信機は、第２のデータ信号の物理フレーム同期ヘッダを検出する場合、第２のデータ信号の位相を測定および格納し得る。この時点で、第２のデータ信号の位相は、実際には、第２のデータ信号に対応する検出遅延内の第２のデータ信号の位相オフセットを表し得る。加えて、第２のデータ信号の位相は、二次送信機がエアインタフェースを介して第２のデータ信号をリッスンする場合に検出される、第２のデータ信号の物理フレーム同期ヘッダの検出遅延を表すために用いられ得る。
【００８２】
任意選択的に、３０４における説明に基づいて、一次送信機は、第２のデータ信号を送信する前に、第２の共同送信通知フレームを送信し得ることが分かり得る。このことに基づいて、二次送信機は、第２の共同送信通知フレームを受信した場合、第２の共同送信通知フレームが、二次送信機が属する送信機グループの送信機グループ識別子を保持しているかどうかを検出し得る。第２の共同送信通知フレームが、二次送信機が属する送信機グループの送信機グループ識別子を保持している場合、これは、二次送信機と同じ送信機グループに属する一次送信機がデータ信号を後で送信することを示す。この時点で、二次送信機は、その後に到達する第２のデータ信号の受信を準備することにより、第２のデータ信号の位相に基づいて、第１のデータ信号が送信された時点を決定し得る。このように、二次送信機および一次送信機は、データ信号を共同送信する。
【００８３】
任意選択的に、可能な実装において、段階３０６は、二次送信機が第２の共同送信通知フレームを受信し、第２の共同送信通知フレームが、二次送信機が属する送信機グループの送信機グループ識別子を保持している、と判断した場合にも実行され得る。すなわち、二次送信機は、第２の共同送信通知フレームが、二次送信機が属する送信機グループの送信機グループ識別子を保持していることを検出した場合、第１のデータ信号を生成し得て、これにより、二次送信機および一次送信機は、第２のデータ信号を受信した場合、第２のデータ信号の位相に基づいて、第１のデータ信号を共同送信し得る。
【００８４】
３０７：二次送信機が、第１の測定信号の位相と第２のデータ信号の位相とに基づいて、時間間隔の数を決定する。
【００８５】
第２のデータ信号の位相が決定された後に、第２のデータ信号がチャネル状態情報に基づいて生成され、チャネル状態情報は、実際には、第１の測定信号の検出遅延を含むので、二次送信機は、第２のデータ信号の位相と第１の測定信号の位相との間の位相差を決定し得る。位相差は、第２のデータ信号の検出遅延と第１の測定信号の検出遅延との間の遅延差を表すために用いられ得る。第２のデータ信号が第１の測定信号の検出遅延を既に含んでいることに基づいて、第１のデータ信号がその後に送信される場合、第１のデータ信号も第１の測定信号の検出遅延を既に含んでいるので、第２のデータ信号の検出遅延と第１の測定信号の検出遅延との間の異、すなわち、前述の遅延差のみが補償される必要がある。これにより、第１のデータ信号および第２のデータ信号が同期され得る。言い換えれば、本願の本実施形態において、第２のデータ信号の検出遅延と第１の測定信号の検出遅延との間の遅延差は、実際には、第１のデータ信号と第２のデータ信号との間の遅延である。
【００８６】
二次送信機は、第２のデータ信号の位相と第１の測定信号の位相との間の位相差を信号サンプリング時間間隔の数へと変換し得る。この時間間隔の数は、第１のデータ信号と第２のデータ信号との間の遅延を表すために用いられる。
【００８７】
具体的には、二次送信機は、
【数１８】
2021500774.tif 000051
という式を用いることにより、時間間隔、および、第２のデータ信号の位相と第１の測定信号の位相との間の位相差に基づいて、現在の信号サンプリング時間を取得し、時間間隔の数を決定し得る。
【数１９】
2021500774.tif 000052
は、時間間隔の数であり、
【数２０】
2021500774.tif 000053
は、第１の測定信号の位相と第２のデータ信号の位相との間の位相差であり、
【数２１】
2021500774.tif 000054
は、現在の信号サンプリング時間間隔であり、
【数２２】
2021500774.tif 000055
は、サブキャリア間隔であり、サブキャリアは、変調を実行して第１の測定信号および第２のデータ信号を取得するために用いられるキャリアである。
【００８８】
３０８：二次送信機が、時間間隔の数に基づいて第１のデータ信号を送信する。
【００８９】
本願の本実施形態において、二次送信機は、第２のデータ信号の物理フレーム同期ヘッダを受信した場合、第２のデータ信号の物理フレーム同期ヘッダの受信時点に基づいて、第２のデータ信号のフレーム本体の受信時点を推定し得る。加えて、第２のデータ信号の位相と第１の測定信号の位相との間の位相差は、正または負であり得る。位相差が正である場合、決定される時間間隔の数
【数２３】
2021500774.tif 000056
は正である。この場合、二次送信機は、第２のデータ信号のフレーム本体の推定される受信時点から、
【数２４】
2021500774.tif 000057
個の信号サンプリング時間間隔で、第１のデータ信号を予め送信し得る。位相差が負である場合、決定される時間間隔の数も負である。この場合、二次送信機は、第２のデータ信号のフレーム本体の推定される受信時点から、
【数２５】
2021500774.tif 000058
個の信号サンプリング時間間隔で、第１のデータ信号の送信を遅延させ得る。
【００９０】
本願の本実施形態において、データ信号が送信される前に、一次送信機は、第１の測定信号を送信し得て、二次送信機は、第１の測定信号を受信した場合、第２の測定信号を送信し得る。その後、受信機は、第１の測定信号および第２の測定信号を受信した場合、第１の測定信号および第２の測定信号に基づいてチャネル状態情報を決定し、チャネル状態情報を一次送信機および二次送信機へ別個に送信し得る。チャネル状態情報が第１の測定信号の検出遅延を含むので、一次送信機によりチャネル状態情報に基づいて生成される第２のデータ信号と、二次送信機によりチャネル状態情報に基づいて生成される第１のデータ信号との両方が、第１の測定信号の検出遅延を含む。このように、二次送信機は、一次送信機により送信される第２のデータ信号を受信した場合、第２のデータ信号の位相を第１の測定信号の位相と比較するだけでよく、これにより、第２のデータ信号の検出遅延と第１の測定信号の検出遅延との間の遅延差を取得する。第１の測定信号の検出遅延は、第１のデータ信号および第２のデータ信号に既に含まれているので、第１のデータ信号が送信された場合、第１のデータ信号および第２のデータ信号の検出遅延の影響を解消するために、第２のデータ信号の検出遅延と第１の測定信号の検出遅延との間の遅延差のみが補償される必要がある。このように、第１のデータ信号と第２のデータ信号との間の時間同期が実装される。一次送信機により送信されるデータ信号の位相が、二次送信機により送信されるデータ信号の位相を調整するために直接用いられる関連技術と比較して、本願の本実施形態は、相対位相差を用いることにより第１のデータ信号の送信時点を調整することにより、測定誤差に対してより高い抵抗を有する。
【００９１】
前述の実施形態は主に、一次送信機および二次送信機がデータ信号を共同送信する場合、どのようにデータ信号の時間同期を実装するかを説明している。可能な実装において、一次送信機および二次送信機は、前述の実施形態とは異なる別の方式で、データ信号の時間同期を実装し得る。この場合、一次送信機は、図４に示される方法を用いて、一次送信機により送信されるデータフレームと二次送信機により送信されるデータフレームとの間のフレームアライメントを実装し得る。
【００９２】
図４は、本願の実施形態による別の信号送信方法のフローチャートである。方法は、図１に示される実装環境に適用され得る。方法は、以下の段階を含む。
【００９３】
４０１：一次送信機が、共同送信通知フレームを送信し、第１の期間が経過した後に、第１のデータ信号を送信する。
【００９４】
本願の本実施形態において、一次送信機は、データ信号を送信する前に、まず、共同送信通知フレームを送信し得る。共同送信通知フレームは、一次送信機が属する送信機グループの送信機グループ識別子を保持し得る。送信機グループ識別子を保持する共同送信通知フレームを用いることにより、一次送信機は、データ信号を一次送信機と同期的に送信するよう、一次送信機と同じ送信機グループに属する二次送信機に命令し得る。
【００９５】
任意選択的に、共同送信通知フレームはさらに、受信機のデバイス識別子を保持し得る。デバイス識別子を用いることにより、一次送信機は、一次送信機および二次送信機により同期的に送信されるデータ信号を受信するよう、デバイス識別子により識別される受信機に命令し得る。
【００９６】
一次送信機は、共同送信通知フレームを送信した後、共同送信通知フレームの送信が完了した時点から第１の期間が経過した後に、第１のデータ信号を送信し得る。第１の期間は、短フレーム間隔（Ｓｈｏｒｔ  Ｉｎｔｅｒ  Ｆｒａｍｅ  Ｓｐａｃｅ、ＳＩＦＳ）であり得るか、または、第１の期間は、予め設定された期間、例えば、１０マイクロ秒または１５マイクロ秒であり得る。加えて、第１のデータ信号は、送信予定のデータを一次送信機により符号化することにより取得される信号である。
【００９７】
４０２：二次送信機が共同送信通知フレームを受信し、共同送信通知フレームが、二次送信機が属する送信機グループの送信機グループ識別子を保持している場合、二次送信機は、第２の期間が経過した後に、第２のデータ信号を一次送信機と同期的に送信する。
【００９８】
二次送信機は、エアインタフェースを介して、一次送信機により送信される信号をリッスンし得る。二次送信機は、一次送信機により送信される共同送信通知フレームを受信した場合、共同送信通知フレームが、二次送信機が属する送信機グループの送信機グループ識別子を保持しているかどうかを検出し得る。共同送信通知フレームが、二次送信機が属する送信機グループの送信機グループ識別子を保持している場合、これは、二次送信機と同じ送信機グループに属する一次送信機が第１のデータ信号を後で送信することを示し、二次送信機は、第２のデータ信号を一次送信機と同期的に送信する必要がある。このことに基づいて、二次送信機は、送信予定のデータを符号化して第２のデータ信号を生成し、共同送信通知フレームのフレームトレイラが受信された時点から第２の期間が経過した後に、第２のデータ信号を送信し得る。第２の期間は、短フレーム間隔（Ｓｈｏｒｔ  Ｉｎｔｅｒ  Ｆｒａｍｅ  Ｓｐａｃｅ、ＳＩＦＳ）であり得るか、または、第２の期間は、予め設定された期間、例えば、１０マイクロ秒または１５マイクロ秒であり得る。加えて、第２の期間は、第１の期間と同じであり得るか、または第１の期間とは異なり得る。
【００９９】
本願の本実施形態において、一次送信機は、第１のデータ信号を送信する前に、まず、共同送信通知フレームを送信して、一次送信機と同じ送信機グループに属する二次送信機に、データ信号を二次送信機と同期的に送信するよう命令し得る。すなわち、本願の本実施形態において、一次送信機は、共同送信通知フレームを用いることにより、送信機を選択し得る。一次送信機は、共同送信通知フレームの送信を完了した後、特定の期間が経過した後に、データ信号を送信し得る。二次送信機も、二次送信機が属する送信機グループの送信機グループ識別子を保持する共同送信通知フレームのフレームトレイラが受信された時点から特定の期間が経過した後に、第２のデータ信号を送信する。このように、一次送信機および二次送信機の共同送信時間が揃えられる。
【０１００】
上記は、本願の実施形態において提供される信号送信方法を説明している。以下では、前述の方法を実行する装置を説明する。
【０１０１】
図５を参照すると、本願の実施形態は、信号送信装置を提供する。装置は、前述の実施形態における二次送信機であり得る。装置は、チャネル状態情報に基づいて第１のデータ信号を生成するように構成された生成モジュール５０１であって、チャネル状態情報は、一次送信機と受信機との間のチャネルの特性と、二次送信機と受信機との間のチャネルの特性とを表すために用いられる、生成モジュール５０１と、
一次送信機により送信される第２のデータ信号を受信し、第２のデータ信号の位相を決定するように構成された受信モジュール５０２と、
一次送信機により送信される第１の測定信号の位相と、一次送信機により送信される第２のデータ信号の位相とに基づいて第１のデータ信号を送信するように構成された送信モジュール５０３と
を備える。
【０１０２】
任意選択的に、受信モジュール５０２はさらに、一次送信機により送信される第１の測定信号を受信し、第１の測定信号の位相を決定するように構成され、
送信モジュール５０３はさらに、第２の測定信号を受信機へ送信するように構成され、
受信モジュール５０２はさらに、第１の測定信号および第２の測定信号に基づいて受信機により決定されるチャネル状態情報を受信するように構成される。
【０１０３】
任意選択的に、装置は、トリガモジュール（不図示）をさらに備える。
【０１０４】
受信モジュール５０２はさらに、一次送信機により送信される第１の共同送信通知フレームを受信するように構成され、第１の共同送信通知フレームは、送信機グループ識別子を保持し、送信機グループ識別子は、一次送信機が属する送信機グループを識別するために用いられ、
トリガモジュールは、第１の共同送信通知フレームにより保持される送信機グループ識別子が、格納されている送信機グループ識別子と同じである場合、第１の共同送信通知フレームの受信が終了した時点から第１の期間が経過した後に、一次送信機により送信される第１の測定信号を受信するよう受信モジュールをトリガするように構成される。
【０１０５】
任意選択的に、受信モジュール５０２はさらに、一次送信機により送信される第２の共同送信通知フレームを受信するように構成され、第２の共同送信通知フレームは、送信機グループ識別子を保持し、送信機グループ識別子は、一次送信機が属する送信機グループを識別するために用いられ、
トリガモジュールはさらに、第２の共同送信通知フレームにより保持される送信機グループ識別子が、格納されている送信機グループ識別子と同じである場合、第２の共同送信通知フレームの受信が終了した時点から第２の期間が経過した後に、一次送信機により送信される第２のデータ信号を受信するよう受信モジュールをトリガするように構成される。
【０１０６】
任意選択的に、送信モジュール５０３は、具体的には、
現在の信号サンプリング時間間隔を取得し、
第２のデータ信号の位相と第１の測定信号の位相との間の位相差を決定し、
信号サンプリング時間間隔および位相差に基づいて、時間間隔の数を決定し、
時間間隔の数に基づいて、第１のデータ信号を送信する
ように構成される。
【０１０７】
要約すると、本願の本実施形態において、チャネル状態情報が第１の測定信号の検出遅延を含むので、一次送信機によりチャネル状態情報に基づいて生成される第２のデータ信号と、二次送信機によりチャネル状態情報に基づいて生成される第１のデータ信号との両方が、第１の測定信号の検出遅延を含む。このように、二次送信機は、一次送信機により送信される第２のデータ信号を受信した場合、第２のデータ信号の位相を第１の測定信号の位相と比較するだけでよく、これにより、第２のデータ信号の検出遅延と第１の測定信号の検出遅延との間の遅延差を取得する。第１の測定信号の検出遅延は、第１のデータ信号および第２のデータ信号に既に含まれているので、第１のデータ信号が送信された場合、第１のデータ信号および第２のデータ信号の検出遅延の影響を解消するために、第２のデータ信号の検出遅延と第１の測定信号の検出遅延との間の遅延差のみが補償される必要がある。このように、第１のデータ信号と第２のデータ信号との間の時間同期が実装される。一次送信機により送信されるデータ信号の位相が、二次送信機により送信されるデータ信号の位相を調整するために直接用いられる関連技術と比較して、本願の本実施形態は、相対位相差を用いることにより第１のデータ信号の送信時点を調整することにより、測定誤差に対してより高い抵抗を有する。
【０１０８】
図６を参照すると、本願の実施形態は、信号送信装置を提供する。装置は、前述の実施形態における一次送信機であり得る。装置は、
第１の測定信号を二次送信機へ送信することにより、二次送信機が第１の測定信号に基づいて第２の測定信号を送信するように構成された送信モジュール６０１と、
第１の測定信号および第２の測定信号に基づいて受信機により決定されるチャネル状態情報を受信し、チャネル状態情報に基づいて第２のデータ信号を生成するように構成された受信モジュールであって、チャネル状態情報は、一次送信機と受信機との間のチャネルの特性と、二次送信機と受信機との間のチャネルの特性とを表すために用いられる、受信モジュール６０２と
を備える。
【０１０９】
送信モジュール６０１はさらに、第２のデータ信号を送信するように構成される。
【０１１０】
任意選択的に、送信モジュール６０１はさらに、第１の共同送信通知フレームを二次送信機へ送信するように構成され、第１の共同送信通知フレームは、送信機グループ識別子を保持し、送信機グループ識別子は、一次送信機が属する送信機グループを識別するために用いられる。
【０１１１】
任意選択的に、送信モジュール６０１はさらに、第２の共同送信通知フレームを二次送信機へ送信するように構成され、第２の共同送信通知フレームは、送信機グループ識別子を保持し、送信機グループ識別子は、一次送信機が属する送信機グループを識別するために用いられる。
【０１１２】
本願の本実施形態において、一次送信機が、送信機グループ識別子を保持する第２の共同送信通知フレームを送信することにより、データ信号を一次送信機と共同送信する二次送信機を選択し、一次送信機により送信されるデータ信号の受信を準備するよう二次送信機に命令し得ることにより、二次送信機は、一次送信機により送信されるデータ信号を受信した場合にデータ信号を一次送信機と共同送信する。
【０１１３】
前述の実施形態において提供される信号送信装置が信号を送信する場合、前述の機能モジュールへの分割は、説明のための例として用いられているに過ぎないことに留意すべきである。実際の用途において、前述の機能は、実装に必要とされるものとは異なる機能モジュールに割り当てられ得る。具体的には、デバイスの内部構造は、上記で説明された機能の全てまたはいくつかを完了するために、異なる機能モジュールに分割される。加えて、前述の実施形態において提供される信号送信装置および信号送信方法の実施形態は、同じ概念に属する。信号送信装置の具体的な実装プロセスについては、方法の実施形態を参照されたい。ここでは詳細を再度説明しない。
【０１１４】
前述の実施形態の全てまたはいくつかは、ソフトウェア、ハードウェア、ファームウェア、またはこれらの任意の組み合わせを用いることにより実装され得る。実施形態を実装するのにソフトウェアが用いられる場合、実施形態の全てまたはいくつかは、コンピュータプログラム製品の形態で実装され得る。コンピュータプログラム製品は、１または複数のコンピュータ命令を含む。コンピュータ命令がコンピュータ上でロードおよび実行された場合、本発明の実施形態による手順または機能の全てまたはいくつかが生成される。コンピュータは、汎用コンピュータ、専用コンピュータ、コンピュータネットワークまたは別のプログラム可能な装置であってよい。コンピュータ命令は、コンピュータ可読記憶媒体に格納されても、コンピュータ可読記憶媒体から別のコンピュータ可読記憶媒体へ伝送されてもよい。例えば、コンピュータ命令は、あるウェブサイト、コンピュータ、サーバまたはデータセンタから、別のウェブサイト、コンピュータ、サーバまたはデータセンタへ、有線（例えば、同軸ケーブル、光ファイバまたはデジタル加入者線（Ｄｉｇｉｔａｌ  Ｓｕｂｓｃｒｉｂｅｒ  Ｌｉｎｅ、ＤＳＬ））または無線（例えば、赤外線、電波またはマイクロ波）方式で伝送されてよい。コンピュータ可読記憶媒体は、コンピュータがアクセス可能な任意の使用可能な媒体であっても、１または複数の使用可能な媒体を統合したサーバまたはデータセンタなどのデータ記憶デバイスであってもよい。使用可能な媒体は、磁気媒体（例えば、フロッピ（登録商標）ディスク、ハードディスクまたは磁気テープ）、光媒体（例えば、デジタル多用途ディスク（Ｄｉｇｉｔａｌ  Ｖｅｒｓａｔｉｌｅ  Ｄｉｓｃ、ＤＶＤ））、半導体媒体（例えば、ソリッドステートドライブ（Ｓｏｌｉｄ  Ｓｔａｔｅ  Ｄｉｓｋ、ＳＳＤ））等であってよい。
【０１１５】
当業者であれば、実施形態の段階の全てまたはいくつかが、ハードウェアを用いることにより、または関連するハードウェアに命令するプログラムにより実装され得ることを理解し得る。プログラムは、コンピュータ可読記憶媒体に格納され得る。記憶媒体は、リードオンリメモリ、磁気ディスクまたはコンパクトディスクを含み得る。
【０１１６】
前述の説明は、本願の実施形態の例に過ぎず、本願を限定することを意図していない。本願の趣旨および原理から逸脱することなく行われるあらゆる修正、均等な置き換えまたは改良は、本願の保護範囲に含まれるべきである。
［項目１］
チャネル状態情報に基づいて第１のデータ信号を生成する段階であって、上記チャネル状態情報は、一次送信機と受信機との間のチャネルの特性と、二次送信機と上記受信機との間のチャネルの特性とを表すために用いられる、段階と、
上記一次送信機により送信される第２のデータ信号を受信し、上記第２のデータ信号の位相を決定する段階と、
上記一次送信機により送信される第１の測定信号の位相と、上記一次送信機により送信される上記第２のデータ信号の上記位相とに基づいて、上記第１のデータ信号を送信する段階と
を備える信号送信方法。
［項目２］
チャネル状態情報に基づいて第１のデータ信号を生成する上記段階の前に、
上記一次送信機により送信される上記第１の測定信号を受信し、上記第１の測定信号の上記位相を決定し、第２の測定信号を上記受信機へ送信する段階と、
上記第１の測定信号および上記第２の測定信号に基づいて、上記受信機により決定される上記チャネル状態情報を受信する段階と
をさらに備える、項目１に記載の方法。
［項目３］
上記一次送信機により送信される上記第１の測定信号を受信する上記段階の前に、
上記一次送信機により送信される第１の共同送信通知フレームを受信する段階であって、上記第１の共同送信通知フレームは、送信機グループ識別子を保持し、上記送信機グループ識別子は、上記一次送信機が属する送信機グループを識別するために用いられる、段階と、
上記第１の共同送信通知フレームにより保持される上記送信機グループ識別子が、格納されている送信機グループ識別子と同じである場合、上記第１の共同送信通知フレームの受信が終了した時点から第１の期間が経過した後に、上記一次送信機により送信される上記第１の測定信号を受信する上記段階を実行する段階と
をさらに備える、項目２に記載の方法。
［項目４］
上記一次送信機により送信される第２のデータ信号を受信する上記段階の前に、
上記一次送信機により送信される第２の共同送信通知フレームを受信する段階であって、上記第２の共同送信通知フレームは、送信機グループ識別子を保持し、上記送信機グループ識別子は、上記一次送信機が属する送信機グループを識別するために用いられる、段階と、
上記第２の共同送信通知フレームにより保持される上記送信機グループ識別子が、格納されている送信機グループ識別子と同じである場合、上記第２の共同送信通知フレームの受信が終了した時点から第２の期間が経過した後に、上記一次送信機により送信される上記第２のデータ信号を受信する上記段階を実行する段階と
をさらに備える、項目１に記載の方法。
［項目５］
上記一次送信機により送信される第１の測定信号の位相と、上記一次送信機により送信される上記第２のデータ信号の上記位相とに基づいて、上記第１のデータ信号を送信する上記段階は、
現在の信号サンプリング時間間隔を取得する段階と、
上記第２のデータ信号の上記位相と上記第１の測定信号の上記位相との間の位相差を決定する段階と、
上記信号サンプリング時間間隔および上記位相差に基づいて、時間間隔の数を決定する段階と、
上記時間間隔の数に基づいて、上記第１のデータ信号を送信する段階と
を有する、項目１から４に記載の方法。
［項目６］
第１の測定信号を二次送信機へ送信することにより、上記二次送信機が上記第１の測定信号に基づいて第２の測定信号を送信する段階と、
上記第１の測定信号および上記第２の測定信号に基づいて受信機により決定されるチャネル状態情報を受信し、上記チャネル状態情報に基づいて第２のデータ信号を生成する段階であって、上記チャネル状態情報は、一次送信機と上記受信機との間のチャネルの特性と、上記二次送信機と上記受信機との間のチャネルの特性とを表すために用いられる、段階と、
上記第２のデータ信号を送信する段階と
を備える信号送信方法。
［項目７］
第１の測定信号を二次送信機へ送信する上記段階の前に、
第１の共同送信通知フレームを上記二次送信機へ送信する段階であって、上記第１の共同送信通知フレームは、送信機グループ識別子を保持し、上記送信機グループ識別子は、上記一次送信機が属する送信機グループを識別するために用いられる、段階
をさらに備える、項目６に記載の方法。
［項目８］
上記第２のデータ信号を送信する上記段階の前に、
第２の共同送信通知フレームを上記二次送信機へ送信する段階であって、上記第２の共同送信通知フレームは、送信機グループ識別子を保持し、上記送信機グループ識別子は、上記一次送信機が属する送信機グループを識別するために用いられる、段階
をさらに備える、項目６に記載の方法。
［項目９］
チャネル状態情報に基づいて第１のデータ信号を生成するように構成された生成モジュールであって、上記チャネル状態情報は、一次送信機と受信機との間のチャネルの特性と、二次送信機と上記受信機との間のチャネルの特性とを表すために用いられる、生成モジュールと、
上記一次送信機により送信される第２のデータ信号を受信し、上記第２のデータ信号の位相を決定するように構成された受信モジュールと、
上記一次送信機により送信される第１の測定信号の位相と、上記一次送信機により送信される上記第２のデータ信号の上記位相とに基づいて上記第１のデータ信号を送信するように構成された送信モジュールと
を備える信号送信装置。
［項目１０］
上記受信モジュールはさらに、上記一次送信機により送信される上記第１の測定信号を受信し、上記第１の測定信号の上記位相を決定するように構成され、
上記送信モジュールはさらに、第２の測定信号を上記受信機へ送信するように構成され、
上記受信モジュールはさらに、上記第１の測定信号および上記第２の測定信号に基づいて上記受信機により決定される上記チャネル状態情報を受信するように構成される、
項目９に記載の装置。
［項目１１］
トリガモジュールをさらに備え、
上記受信モジュールはさらに、上記一次送信機により送信される第１の共同送信通知フレームを受信するように構成され、上記第１の共同送信通知フレームは、送信機グループ識別子を保持し、上記送信機グループ識別子は、上記一次送信機が属する送信機グループを識別するために用いられ、
上記トリガモジュールは、上記第１の共同送信通知フレームにより保持される上記送信機グループ識別子が、格納されている送信機グループ識別子と同じである場合、上記第１の共同送信通知フレームの受信が終了した時点から第１の期間が経過した後に、上記一次送信機により送信される上記第１の測定信号を受信するよう上記受信モジュールをトリガするように構成される、
項目１０に記載の装置。
［項目１２］
上記受信モジュールはさらに、上記一次送信機により送信される第２の共同送信通知フレームを受信するように構成され、上記第２の共同送信通知フレームは、送信機グループ識別子を保持し、上記送信機グループ識別子は、上記一次送信機が属する送信機グループを識別するために用いられ、
上記トリガモジュールはさらに、上記第２の共同送信通知フレームにより保持される上記送信機グループ識別子が、格納されている送信機グループ識別子と同じである場合、上記第２の共同送信通知フレームの受信が終了した時点から第２の期間が経過した後に、上記一次送信機により送信される上記第２のデータ信号を受信するよう上記受信モジュールをトリガするように構成される、
項目９に記載の装置。
［項目１３］
上記送信モジュールは、具体的には、
現在の信号サンプリング時間間隔を取得し、
上記第２のデータ信号の上記位相と上記第１の測定信号の上記位相との間の位相差を決定し、
上記信号サンプリング時間間隔および上記位相差に基づいて、時間間隔の数を決定し、
上記時間間隔の数に基づいて、上記第１のデータ信号を送信する
ように構成される、
項目９から１２のいずれか一項に記載の装置。
［項目１４］
第１の測定信号を二次送信機へ送信することにより、上記二次送信機が上記第１の測定信号に基づいて第２の測定信号を送信するように構成された送信モジュールと、
上記第１の測定信号および上記第２の測定信号に基づいて受信機により決定されるチャネル状態情報を受信し、上記チャネル状態情報に基づいて第２のデータ信号を生成するように構成された受信モジュールであって、上記チャネル状態情報は、一次送信機と上記受信機との間のチャネルの特性と、上記二次送信機と上記受信機との間のチャネルの特性とを表すために用いられる、受信モジュールと
を備え、
上記送信モジュールはさらに、上記第２のデータ信号を送信するように構成される、
信号送信装置。
［項目１５］
上記送信モジュールはさらに、第１の共同送信通知フレームを上記二次送信機へ送信するように構成され、上記第１の共同送信通知フレームは、送信機グループ識別子を保持し、上記送信機グループ識別子は、上記一次送信機が属する送信機グループを識別するために用いられる、
項目１４に記載の装置。
［項目１６］
上記送信モジュールはさらに、第２の共同送信通知フレームを上記二次送信機へ送信するように構成され、上記第２の共同送信通知フレームは、送信機グループ識別子を保持し、上記送信機グループ識別子は、上記一次送信機が属する送信機グループを識別するために用いられる、
項目１４に記載の装置。
［項目１７］
命令を備え、上記命令がコンピュータ上で実行された場合に項目１から８のいずれか一項に記載の方法を上記コンピュータが実行することが可能になるコンピュータ可読記憶媒体。
［項目１８］
コンピュータ上で実行された場合に項目１から８のいずれか一項に記載の方法を上記コンピュータが実行することが可能になる命令を含むコンピュータプログラム製品。
【国際調査報告】
2021500774.tif 000059
2021500774.tif 000060
2021500774.tif 000061
2021500774.tif 000062